(57)【要約】 電気素子（１００）は、誘電体層（１〜１０）と、導体板（１１〜１４，２１〜２５）と、陽極電極（３０，４０）と陰極電極（５０，６０）とを備える。導体板（１１〜１４）と導体板（２１〜２５）とは、電気素子（１００）の幅方向（ＤＲ１）に交互に積層される。陽極電極（３０，４０）は、所定の間隔を隔てて導体板（１１〜１４）の各々に接続される。陰極電極（５０，６０）は、所定の間隔を隔てて導体板（２１〜２４）の各々に接続される。電気素子（１００）は、底面（１００Ａ）側が基板に接するように基板に実装される。そして、陽極電極（３０）は、基板上に配置された電気素子（１００）の幅と略同じ幅を有する第１の信号線に接続され、陽極電極（４０）は、基板上に配置された電気素子（１００）の幅と略同じ幅を有する第２の信号線に接続される。
2008044376.tif 000002
【特許請求の範囲】
【請求項１】
ｎ（ｎは正の整数）個の第１の導体板（１１〜１４）と、
前記ｎ個の第１の導体板（１１〜１４）と交互に積層されたｍ（ｍは正の整数）個の第２の導体板（２１〜２５，３１〜３５，４１〜４５，６１〜６５，８１〜８５，１０１〜１０５，１１０１〜１１０５）と、
前記ｎ個の第１の導体板（１１〜１４）の各々の一方端に接続された第１の電極（３０）と、
前記ｎ個の第１の導体板（１１〜１４）の各々の他方端に接続された第２の電極（４０）と、
前記ｍ個の第２の導体板（２１〜２５，３１〜３５，４１〜４５，６１〜６５，８１〜８５，１０１〜１０５，１１０１〜１１０５）に接続されたｊ（ｊは正の整数）個の第３の電極（５０，６０；９０；３６０；６１０；８１０；９１０，９２０，９３０；１０１０，１０２０；１１１０，１１２０）とを備え、
前記ｎ個の第１の導体板（１１〜１４）および前記ｍ個の第２の導体板（２１〜２５，３１〜３５，４１〜４５，６１〜６５，８１〜８５，１０１〜１０５，１１０１〜１１０５）は、前記第１および第２の電極（３０；４０）がそれぞれ接続される略板状形状の第１および第２の信号線（２０２，２０３；４０２，４０３；２０２０；２０３０）の幅方向に積層されている、電気素子。
【請求項２】
前記ｎ個の第１の導体板（１１〜１４）の各々は、
前記第１の導体板（１１〜１４）の一方端側に配置された第１の引出部（１１１）と、
前記第１の導体板（１１〜１４）の他方端側に配置された第２の引出部（１１２）とを含み、
前記第１の電極（３０）は、ｎ個の第１の引出部（１１１）に接続され、
前記第２の電極（４０）は、ｎ個の第２の引出部（１１２）に接続されている、請求項１に記載の電気素子。
【請求項３】
前記ｊ個の第３の電極（５０，６０；１０１０，１０２０；１１１０，１１２０）は、
前記ｍ個の第２の導体板（２１〜２５，３１〜３５，４１〜４５，６１〜６５，８１〜８５，１０１〜１０５，１１０１〜１１０５）の各々の第１の部分に接続された第１の陰極電極（５０，１０１０，１１１０）と、
前記ｍ個の第２の導体板（２１〜２５，３１〜３５，４１〜４５，６１〜６５，８１〜８５，１０１〜１０５，１１０１〜１１０５）の各々の第２の部分に接続された第２の陰極電極（６０，１０２０，１１２０）とからなる、請求項２に記載の電気素子。
【請求項４】
前記第１の導体板（１１〜１４）は、略長方形の平面形状を有し、
前記第１および第２の引出部（１１１，１１２）は、前記長方形の同じ長辺側に配置されている、請求項２に記載の電気素子。
【請求項５】
前記ｊ個の第３の電極（５０，６０；１０１０，１０２０；１１１０，１１２０）は、
前記ｍ個の第２の導体板（２１〜２５，３１〜３５，４１〜４５，６１〜６５，８１〜８５，１０１〜１０５，１１０１〜１１０５）の各々の第１の部分に接続された第１の陰極電極（５０，１０１０，１１１０）と、
前記ｍ個の第２の導体板（２１〜２５，３１〜３５，４１〜４５，６１〜６５，８１〜８５，１０１〜１０５，１１０１〜１１０５）の各々の第２の部分に接続された第２の陰極電極（６０，１０２０，１１２０）とからなる、請求項４に記載の電気素子。
【請求項６】
前記ｍ個の第２の導体板（２１〜２５，３１〜３５，４１〜４５，６１〜６５，８１〜８５，１０１〜１０５，１１０１〜１１０５）の各々は、
前記第２の導体板（２１〜２５，３１〜３５，４１〜４５，６１〜６５，８１〜８５，１０１〜１０５，１１０１〜１１０５）の前記第１の部分に配置された第３の引出部（２１１）と、
前記第２の導体板（２１〜２５，３１〜３５，４１〜４５，６１〜６５，８１〜８５，１０１〜１０５，１１０１〜１１０５）の前記第２の部分に配置された第４の引出部（２１２）とを含み、
前記第１の陰極電極（５０，１０１０，１１１０）は、ｍ個の第３の引出部（２１１）に接続され、
前記第２の陰極電極（６０，１０２０，１１２０）は、ｍ個の第４の引出部（２１２）に接続されている、請求項５に記載の電気素子。
【請求項７】
前記第２の導体板（２１〜２５，３１〜３５，４１〜４５，６１〜６５，８１〜８５，１０１〜１０５，１１０１〜１１０５）は、略長方形の平面形状を有し、
前記第３および第４の引出部（２１１，２１２）は、前記長方形の同じ長辺側に配置されている、請求項６に記載の電気素子。
【請求項８】
各々が前記第１の導体板（１１〜１４）と前記第２の導体板（２１〜２５，３１〜３５，４１〜４５，６１〜６５，８１〜８５，１０１〜１０５，１１０１〜１１０５）との間に配置された複数の誘電体層（１〜１０）をさらに備える、請求項７に記載の電気素子。
【請求項９】
前記ｎ個の第１の導体板（１１〜１４）の各々は、
当該電気素子の長さ方向において前記第１の導体板（１１〜１４）の一方端側に配置された第１の引出部（１１１）と、
当該電気素子の長さ方向において前記第１の導体板（１１〜１４）の他方端側に配置された第２の引出部（１１２）とを含み、
前記ｍ個の第２の導体板（２１〜２５，３１〜３５，４１〜４５，６１〜６５，８１〜８５，１０１〜１０５，１１０１〜１１０５）の各々は、当該電気素子の長さ方向において前記第１の引出部（１１１）と前記第２の引出部（１１２）との間に配置された第３の引出部（２１１，２１２；３１１；４１１，４１２；６１１；８１１，８１２；１０１１，１０１２；１１１１〜１１１４）を含み、
当該電気素子の長さ方向における前記第１の引出部（１１１）と前記第３の引出部（２１１，２１２；３１１；４１１，４１２；６１１；８１１，８１２；１０１１，１０１２；１１１１〜１１１４）との距離を第１の距離とし、当該電気素子の長さ方向における前記第２の引出部（１１２）と前記第３の引出部（２１１，２１２；３１１；４１１，４１２；６１１；８１１，８１２；１０１１，１０１２；１１１１〜１１１４）との距離を第２の距離とした場合、前記第１および第２の距離の和を当該電気素子の全長で除算した距離／長さ比は、基準値よりも小さい比に設定されており、
前記基準値は、２つの陽極電極（７２０，７３０）に接続された陽極導体板（７６１〜７６４）と陰極電極（７４０）に接続された陰極導体板（７７１〜７７５）とが基板の法線方向に積層された基準電気素子（７００）において、前記陽極導体板（７６１〜７６４）の長さから前記陰極電極（７４０）の長さを減算した減算結果を前記基準電気素子（７００）の長さで除算した値であり、
前記第１の電極（３０）は、前記ｎ個の第１の引出部（１１１）に接続され、
前記第２の電極（４０）は、前記ｎ個の第２の引出部（１１２）に接続され、
前記ｊ個の第３の電極（５０，６０；９０；３６０；６１０；８１０；９１０，９２０，９３０；１０１０，１０２０；１１１０，１１２０）は、前記ｍ個の第３の引出部（２１１，２１２；３１１；４１１，４１２；６１１；８１１，８１２；１０１１，１０１２；１１１１〜１１１４）に接続されている、請求項１に記載の電気素子。
【請求項１０】
前記第１の距離は、前記第２の距離に略等しい、請求項９に記載の電気素子。
【請求項１１】
前記ｎ個の第１の導体板（１１〜１４）の各々は、
当該電気素子の長さ方向において前記第１の導体板（１１〜１４）の一方端側に配置され、かつ、基板（２００，４００）の法線方向に突出した第１の引出部（１１１，１１３）と、
当該電気素子の長さ方向において前記第１の導体板（１１〜１４）の他方端側に配置され、かつ、基板（２００，４００）の法線方向に突出した第２の引出部（１１２，１１４）とを含み、
前記ｍ個の第２の導体板（２１〜２５，３１〜３５，４１〜４５，６１〜６５，８１〜８５，１０１〜１０５，１１０１〜１１０５）の各々は、当該電気素子の長さ方向において前記第１の引出部（１１１，１１３）と前記第２の引出部（１１２，１１４）との間に配置され、かつ、基板（２００，４００）の法線方向に突出した第３の引出部（２１１，２１２；３１１；４１１，４１２；６１１；８１１，８１２；１０１１，１０１２；１１１１〜１１１４）を含み、
前記第１の引出部（１１１，１１３）、前記第２の引出部（１１２，１１４）および前記第３の引出部（２１１，２１２；３１１；４１１，４１２；６１１；８１１，８１２；１０１１，１０１２；１１１１〜１１１４）は、基板（２００，４００）の法線方向において前記第１および第２の導体板（１１〜１４；２１〜２５，３１〜３５，４１〜４５，６１〜６５，８１〜８５，１０１〜１０５，１１０１〜１１０５）に対して同じ側に配置され、
前記第１の電極（３０）は、前記ｎ個の第１の引出部（１１１，１１３）に接続され、
前記第２の電極（４０）は、前記ｎ個の第２の引出部（１１２，１１４）に接続され、
前記ｊ個の第３の電極（５０，６０；９０；３６０；６１０；８１０；９１０，９２０，９３０；１０１０，１０２０；１１１０，１１２０）は、前記ｍ個の第３の引出部（２１１，２１２；３１１；４１１，４１２；６１１；８１１，８１２；１０１１，１０１２；１１１１〜１１１４）に接続されている、請求項１に記載の電気素子。
【請求項１２】
前記ｍ個の第３の引出部（４１１，４１２；８１１，８１２；１１１１〜１１１４）の各々は、
前記基板（２００，４００）の法線方向における前記第２の導体板（２１〜２５，３１〜３５，４１〜４５，６１〜６５，８１〜８５，１０１〜１０５，１１０１〜１１０５）の一方端から前記基板（２００，４００）の法線方向において第１の方向へ突出した第４の引出部（４１１；８１１；１１１１，１１１２）と、
前記基板（２００，４００）の法線方向における前記第２の導体板（２１〜２５，３１〜３５，４１〜４５，６１〜６５，８１〜８５，１０１〜１０５，１１０１〜１１０５）の他方端から前記基板（２００，４００）の法線方向において前記第１の方向と反対の第２の方向へ突出した第５の引出部（４１２；８１２；１１１３，１１１４）とを含み、
前記ｎ個の第１の導体板（１１〜１４）および前記ｍ個の第２の導体板（２１〜２５，３１〜３５，４１〜４５，６１〜６５，８１〜８５，１０１〜１０５，１１０１〜１１０５）の積層体は、略直方体形状からなり、
前記ｊ個の第３の電極（３６０；８１０；１１１０，１１２０）の各々は、
前記直方体の底面（３５０Ａ，８００Ａ，１１００Ａ）において前記ｍ個の第４の引出部（４１１；８１１；１１１１，１１１２）に接続された第４の電極（３６１；８１０；１１１０，１１２０）と、
前記直方体の上面（３５０Ｄ，８００Ｄ，１１００Ｄ）において前記ｍ個の第５の引出部（４１２；８１２；１１１３，１１１４）に接続された第５の電極（３６４；８１０；１１１０，１１２０）と、
前記直方体の前記底面（３５０Ａ，８００Ａ，１１００Ａ）および前記上面（３５０Ｄ，８００Ｄ，１１００Ｄ）に直交し、かつ、前記ｎ個の第１の導体板（１１〜１４）および前記ｍ個の第２の導体板（２１〜２５，３１〜３５，４１〜４５，６１〜６５，８１〜８５，１０１〜１０５，１１０１〜１１０５）の積層方向における前記直方体の少なくとも１つの側面に配置されるとともに、前記第４および第５の電極（３６１，３６４；８１０；１１１０，１１２０）に接続された第６の電極（３６２，３６３；８１０；１１１０，１１２０）とを含む、請求項１１に記載の電気素子。
【請求項１３】
前記第３の引出部（２１１，２１２；４１１，４１２；８１１，８１２；１０１１，１０１２；１１１１〜１１１４）は、
当該電気素子の長さ方向において前記第２の導体板（２１〜２５，３１〜３５，４１〜４５，６１〜６５，８１〜８５，１０１〜１０５，１１０１〜１１０５）の一方端側に配置された第４の引出部（２１１；１０１１；１１１１，１１１３）と、
当該電気素子の長さ方向において前記第２の導体板（２１〜２５，３１〜３５，４１〜４５，６１〜６５，８１〜８５，１０１〜１０５，１１０１〜１１０５）の他方端側に配置された第５の引出部（２１２；１０１２；１１１２，１１１４）とを含み、
前記ｊ個の第３の電極（５０，６０；１０１０，１０２０；１１１０，１１２０）は、
前記ｍ個の第４の引出部（２１１；１０１１；１１１１，１１１３）に接続された第１の陰極電極（５０，１０１０，１１１０）と、
前記ｍ個の第５の引出部（２１２；１０１２；１１１２，１１１４）に接続された第２の陰極電極（６０，１０２０，１１２０）とを含む、請求項１１に記載の電気素子。
【請求項１４】
前記ｎ個の第１の導体板（１１〜１４）と電気的に並列に前記第１および第２の電極（３０，４０；５２０，５３０）に接続された第３の導体板（１２１０，１３１０，１４１０，１５１０，１６１０，１７１０）をさらに備える、請求項１に記載の電気素子。
【請求項１５】
ｎ（ｎは正の整数）個の第１の導体板（１１〜１４）と、
前記ｎ個の第１の導体板（１１〜１４）と交互に積層されたｍ（ｍは正の整数）個の第２の導体板（２１〜２５，３１〜３５，４１〜４５，６１〜６５，８１〜８５，１０１〜１０５，１１０１〜１１０５）と、
前記ｎ個の第１の導体板（１１〜１４）の各々の一方端に接続された第１の電極（３０）と、
前記ｎ個の第１の導体板（１１〜１４）の各々の他方端に接続された第２の電極（４０）と、
前記ｍ個の第２の導体板（２１〜２５，３１〜３５，４１〜４５，６１〜６５，８１〜８５，１０１〜１０５，１１０１〜１１０５）に接続されたｊ（ｊは正の整数）個の第３の電極（５０，６０；９０；３６０；６１０；８１０；９１０，９２０，９３０；１０１０，１０２０；１１１０，１１２０）とを備え、
前記ｎ個の第１の導体板（１１〜１４）の各々は、
前記第１の導体板（１１〜１４）の一方端側に配置された第１の引出部（１１１）と、
前記第１の導体板（１１〜１４）の他方端側に配置された第２の引出部（１１２）とを含み、
前記ｍ個の第２の導体板（２１〜２５，３１〜３５，４１〜４５，６１〜６５，８１〜８５，１０１〜１０５，１１０１〜１１０５）の各々は、前記第２の導体板（２１〜２５，３１〜３５，４１〜４５，６１〜６５，８１〜８５，１０１〜１０５，１１０１〜１１０５）の幅方向における一方端側に配置されたｊ個の第３の引出部（２１１，２１２；３１１；４１１；６１１；８１１；１０１１，１０１２；１１１１，１１１２）を含み、
前記第１の引出部（１１１）、前記第２の引出部（１１２）および前記第３の引出部（２１１，２１２；３１１；４１１；６１１；８１１；１０１１，１０１２；１１１１，１１１２）は、前記第１の導体板（１１〜１４）および前記第２の導体板（２１〜２５，３１〜３５，４１〜４５，６１〜６５，８１〜８５，１０１〜１０５，１１０１〜１１０５）の面内方向において同じ方向に突出しており、
前記第１の電極（３０）は、ｎ個の第１の引出部（１１１）に接続されており、
前記第２の電極（４０）は、ｎ個の第２の引出部（１１２）に接続されており、
前記ｊ個の第３の電極（５０，６０；９０；３６０；６１０；８１０；９１０，９２０，９３０；１０１０，１０２０；１１１０，１１２０）は、前記ｊ個の第３の引出部（２１１，２１２；３１１；４１１；６１１；８１１；１０１１，１０１２；１１１１，１１１２）に接続されている、電気素子。
【請求項１６】
当該電気素子の長さ方向における前記第１の引出部（１１１）と前記第３の引出部（２１１，２１２；３１１；４１１；６１１；８１１；１０１１，１０１２；１１１１，１１１２）との距離を第１の距離とし、当該電気素子の長さ方向における前記第２の引出部（１１２）と前記第３の引出部（２１１，２１２；３１１；４１１；６１１；８１１；１０１１，１０１２；１１１１，１１１２）との距離を第２の距離とした場合、前記第１および第２の距離の和を当該電気素子の全長で除算した距離／長さ比は、基準値よりも小さい比に設定されており、
前記基準値は、２つの陽極電極（７２０，７３０）に接続された陽極導体板（７６１〜７６４）と陰極電極（７４０）に接続された陰極導体板（７７１〜７７５）とが基板の法線方向に積層された基準電気素子（７００）において、前記陽極導体板（７６１〜７６４）の長さから前記陰極電極（７４０）の長さを減算した減算結果を前記基準電気素子（７００）の長さで除算した値である、請求項１５に記載の電気素子。
【請求項１７】
前記ｊ個の第３の引出部（２１１，２１２；１０１１，１０１２；１１１１，１１１２）は、
第４の引出部（２１１，１０１１，１１１１）と、
第５の引出部（２１２，１０１２，１１１２）とを含み、
前記ｊ個の第３の電極（５０，６０；１０１０，１０２０；１１１０，１１２０）は、
前記第４の引出部（２１１，１０１１，１１１１）に接続された第１の陰極電極（５０，１０１０，１１１０）と、
前記第５の引出部（２１２，１０１２，１１１２）に接続された第２の陰極電極（６０，１０２０，１１２０）とを含む、請求項１５に記載の電気素子。
【請求項１８】
前記第４および第５の引出部（２１１，１０１１，１１１１；２１２，１０１２，１１１２）は、当該電気素子の長さ方向において前記第１の引出部（１１１）と前記第２の引出部（１１２）との間に配置されている、請求項１７に記載の電気素子。
【請求項１９】
前記ｎ個の第１の導体板（１１〜１４）の各々は、前記第１の導体板（１１〜１４）の面内方向において前記第１および第２の引出部（１１１，１１２）と反対方向に突出した第４の引出部（１１３，１１４）をさらに含み、
前記ｍ個の第２の導体板（２１〜２５，３１〜３５，４１〜４５，６１〜６５，８１〜８５，１０１〜１０５，１１０１〜１１０５）の各々は、前記第２の導体板（２１〜２５，３１〜３５，４１〜４５，６１〜６５，８１〜８５，１０１〜１０５，１１０１〜１１０５）の面内方向において前記第３の引出部（２１１，２１２；３１１；４１１；６１１；８１１；１０１１，１０１２；１１１１，１１１２）と反対方向に突出した第５の引出部（４１２，８１２，１１１３，１１１４）をさらに含む、請求項１５に記載の電気素子。
【請求項２０】
前記ｎ個の第１の導体板（１１〜１４）と電気的に並列に前記第１および第２の電極（３０，４０；５２０，５３０）に接続された第３の導体板（１２１０，１３１０，１４１０，１５１０，１６１０，１７１０）をさらに備える、請求項１５に記載の電気素子。
【発明の詳細な説明】
【技術分野】
【０００１】
この発明は、電気素子に関し、特に、広帯域で高周波特性に優れたノイズフィルタ機能を有する電気素子に関するものである。
【背景技術】
【０００２】
従来、積層電子部品として、貫通型三端子コンデンサが知られている（特許文献１）。図８１は、従来の貫通型三端子コンデンサの斜視図である。図８１を参照して、貫通型三端子コンデンサ１８００は、積層体１８０１と、信号用外部電極１８０２，１８０３と、接地用外部電極１８０４とを備える。【０００３】
信号用外部電極１８０２は、積層体１８０１の一方の端面部に設けられ、信号用外部電極１８０３は、積層体１８０１の他方の端面部に設けられる。また、接地用外部電極１８０４は、積層体１８０１の側面部に腹巻状に設けられる。そして、信号用外部電極１８０２，１８０３および接地用外部電極１８０４は、積層体１８０１に導電ペーストを塗布および焼成して形成されるシート状の電極である。【０００４】
図８２は、図８１に示す線ＸＸＸＸＸＸＸＸＩＩ−ＸＸＸＸＸＸＸＸＩＩ間における貫通型三端子コンデンサ１８００の断面図である。図８２を参照して、積層体１８０１は、信号用内部電極１８０５と、接地用内部電極１８０６と、誘電体１８０７とを含む。信号用内部電極１８０５および接地用内部電極１８０６は、誘電体１８０７を介して交互に積層される。そして、信号用内部電極１８０５は、一方端が信号用外部電極１８０２に接続され、他方端が信号用外部電極１８０３に接続される。また、接地用内部電極１８０６は、紙面の手前および奥行き方向において接地用外部電極１８０４に接続される。【０００５】
貫通型三端子コンデンサ１８００が基板上に実装される場合、信号用外部電極１８０２，１８０３の下面部１８０２Ａ，１８０３Ａ、接地用外部電極１８０４の下面部１８０４Ａが基板（プリント基板）上の配線に接続される。【０００６】
上述したように、従来の貫通型三端子コンデンサ１８００は、信号用内部電極１８０５および接地用外部電極１８０６が誘電体１８０７を介して、基板の法線方向に積層された構造を有する。
【特許文献１】特開２００３−２２９３２号公報
【発明の開示】
【０００７】
しかし、従来の貫通型三端子コンデンサにおいては、基板の法線方向に積層された複数の信号用内部電極は、シート状の信号用外部電極に接続されているため、基板上の配線と信号用外部電極との接続点に近い位置に配置された信号用内部電極に直流電流を流すときの抵抗は、接続点から遠い位置に配置された信号用内部電極に直流電流を流すときの抵抗よりも小さい。その結果、接続点に近い位置に配置された信号用内部電極には、相対的に多くの直流電流が流れ、接続点から遠い位置に配置された信号用内部電極には、相対的に少ない直流電流が流れる。
【０００８】
したがって、従来の貫通型三端子コンデンサにおいては、各信号用内部電極には、相互に異なる直流電流が流れ、１個の信号用内部電極に流せる直流電流を決定しても、貫通型三端子コンデンサ全体で流せる直流電流を決定することが困難である。
【０００９】
また、従来の貫通型三端子コンデンサにおいては、インダクタンスが支配的な周波数領域におけるインピーダンスの低減が不十分であるという問題がある。
【００１０】
そこで、この発明は、かかる問題を解決するためになされたものであり、その目的は、素子全体で流せる直流電流を容易に決定可能な電気素子を提供することである。
【００１１】
また、この発明の別の目的は、インダクタンスが支配的な周波数領域においてインピーダンスの低減な可能な電気素子を提供することである。
【００１２】
この発明によれば、電気素子は、ｎ（ｎは正の整数）個の第１の導体板と、ｍ（ｍは正の整数）個の第２の導体板と、第１および第２の電極と、ｊ（ｊは正の整数）個の第３の電極とを備える。ｍ個の第２の導体板は、ｎ個の第１の導体板と交互に積層される。第１の電極は、ｎ個の第１の導体板の各々の一方端に接続される。第２の電極は、ｎ個の第１の導体板の各々の他方端に接続される。ｊ個の第３の電極は、ｍ個の第２の導体板に接続される。そして、ｎ個の第１の導体板およびｍ個の第２の導体板は、第１および第２の電極がそれぞれ接続される略板状形状の第１および第２の信号線の幅方向に積層されている。
【００１３】
好ましくは、ｎ個の第１の導体板の各々は、第１および第２の引出部を含む。第１の引出部は、第１の導体板の一方端側に配置される。第２の引出部は、第１の導体板の他方端側に配置される。第１の電極は、ｎ個の第１の引出部に接続され、第２の電極は、ｎ個の第２の引出部に接続されている。
【００１４】
好ましくは、ｊ個の第３の電極は、第１および第２の陰極電極からなる。第１の陰極電極は、ｍ個の第２の導体板の各々の第１の部分に接続される。第２の陰極電極は、ｍ個の第２の導体板の各々の第２の部分に接続される。
【００１５】
好ましくは、第１の導体板は、略長方形の平面形状を有し、第１および第２の引出部は、長方形の同じ長辺側に配置されている。
【００１６】
好ましくは、ｊ個の第３の電極は、第１および第２の陰極電極からなる。第１の陰極電極は、ｍ個の第２の導体板の各々の第１の部分に接続される。第２の陰極電極は、ｍ個の第２の導体板の各々の第２の部分に接続される。
【００１７】
好ましくは、ｍ個の第２の導体板の各々は、第３および第４の引出部を含む。第３の引出部は、第２の導体板の第１の部分に配置される。第４の引出部は、第２の導体板の第２の部分に配置される。そして、第１の陰極電極は、ｍ個の第３の引出部に接続され、第２の陰極電極は、ｍ個の第４の引出部に接続されている。
【００１８】
好ましくは、第２の導体板は、略長方形の平面形状を有し、第３および第４の引出部は、長方形の同じ長辺側に配置されている。
【００１９】
好ましくは、電気素子は、複数の誘電体層をさらに備える。複数の誘電体層の各々は、第１の導体板と第２の導体板との間に配置される。
【００２０】
好ましくは、ｎ個の第１の導体板の各々は、第１および第２の引出部を含む。第１の引出部は、当該電気素子の長さ方向において第１の導体板の一方端側に配置される。第２の引出部は、当該電気素子の長さ方向において第１の導体板の他方端側に配置される。ｍ個の第２の導体板の各々は、当該電気素子の長さ方向において第１の引出部と第２の引出部との間に配置された第３の引出部を含む。そして、当該電気素子の長さ方向における第１の引出部と第３の引出部との距離を第１の距離とし、当該電気素子の長さ方向における第２の引出部と第３の引出部との距離を第２の距離とした場合、第１および第２の距離の和を当該電気素子の全長で除算した距離／長さ比は、基準値よりも小さい比に設定されておる。基準値は、２つの陽極電極に接続された陽極導体板と陰極電極に接続された陰極導体板とが基板の法線方向に積層された基準電気素子において、陽極導体板の長さから陰極電極の長さを減算した減算結果を基準電気素子の長さで除算した値である。第１の電極は、ｎ個の第１の引出部に接続され、第２の電極は、ｎ個の第２の引出部に接続され、ｊ個の第３の電極は、ｍ個の第３の引出部に接続されている。
【００２１】
好ましくは、第１の距離は、第２の距離に略等しい。
【００２２】
好ましくは、ｎ個の第１の導体板（１１〜１４）の各々は、第１および第２の引出部を含む。第１の引出部は、当該電気素子の長さ方向において第１の導体板の一方端側に配置され、かつ、基板の法線方向に突出している。第２の引出部は、当該電気素子の長さ方向において第１の導体板の他方端側に配置され、かつ、基板の法線方向に突出している。ｍ個の第２の導体板の各々は、当該電気素子の長さ方向において第１の引出部と第２の引出部との間に配置され、かつ、基板の法線方向に突出した第３の引出部を含む。第１の引出部、第２の引出部および第３の引出部は、基板の法線方向において第１および第２の導体板に対して同じ側に配置される。第１の電極は、ｎ個の第１の引出部に接続され、第２の電極は、ｎ個の第２の引出部に接続され、ｊ個の第３の電極は、ｍ個の第３の引出部に接続されている。
【００２３】
好ましくは、ｍ個の第３の引出部の各々は、第４および第５の引出部を含む。第４の引出部は、基板の法線方向における第２の導体板の一方端から基板の法線方向において第１の方向へ突出している。第５の引出部は、基板の法線方向における第２の導体板の他方端から基板の法線方向において第１の方向と反対の第２の方向へ突出している。ｎ個の第１の導体板およびｍ個の第２の導体板の積層体は、略直方体形状からなる。ｊ個の第３の電極の各々は、直方体の底面においてｍ個の第４の引出部に接続された第４の電極と、直方体の上面においてｍ個の第５の引出部に接続された第５の電極と、直方体の底面および上面に直交し、かつ、ｎ個の第１の導体板およびｍ個の第２の導体板の積層方向における直方体の少なくとも１つの側面に配置されるとともに、第４および第５の電極に接続された第６の電極とを含む。
【００２４】
好ましくは、第３の引出部は、第４および第５の引出部を含む。第４の引出部は、当該電気素子の長さ方向において第２の導体板の一方端側に配置される。第５の引出部は、当該電気素子の長さ方向において第２の導体板の他方端側に配置される。ｊ個の第３の電極は、第１および第２の陰極電極を含む。第１の陰極電極は、ｍ個の第４の引出部に接続される。第２の陰極電極は、ｍ個の第５の引出部に接続される。
【００２５】
好ましくは、電気素子は、第３の導体板をさらに備える。第３の導体板は、ｎ個の第１の導体板と電気的に並列に第１および第２の電極に接続される。
【００２６】
また、この発明によれば、電気素子は、ｎ（ｎは正の整数）個の第１の導体板と、ｍ（ｍは正の整数）個の第２の導体板と、第１および第２の電極と、ｊ（ｊは正の整数）個の第３の電極とを備える。ｍ個の第２の電極は、ｎ個の第１の導体板と交互に積層される。第１の電極は、ｎ個の第１の導体板の各々の一方端に接続される。第２の電極は、ｎ個の第１の導体板の各々の他方端に接続される。ｊ個の第３の電極は、ｍ個の第２の導体板に接続される。ｎ個の第１の導体板の各々は、第１および第２の引出部を含む。第１の引出部は、第１の導体板の一方端側に配置される。第２の引出部は、第１の導体板の他方端側に配置される。ｍ個の第２の導体板の各々は、第２の導体板の幅方向における一方端側に配置されたｊ個の第３の引出部を含む。第１の引出部、第２の引出部および第３の引出部は、第１の導体板および第２の導体板の面内方向において同じ方向に突出している。第１の電極は、ｎ個の第１の引出部に接続されている。第２の電極は、ｎ個の第２の引出部に接続されている。ｊ個の第３の電極は、ｊ個の第３の引出部に接続されている。
【００２７】
好ましくは、当該電気素子の長さ方向における第１の引出部と第３の引出部との距離を第１の距離とし、当該電気素子の長さ方向における第２の引出部と第３の引出部との距離を第２の距離とした場合、第１および第２の距離の和を当該電気素子の全長で除算した距離／長さ比は、基準値よりも小さい比に設定されている。基準値は、２つの陽極電極に接続された陽極導体板と陰極電極に接続された陰極導体板とが基板の法線方向に積層された基準電気素子において、陽極導体板の長さから陰極電極の長さを減算した減算結果を基準電気素子の長さで除算した値である。
【００２８】
好ましくは、ｊ個の第３の引出部は、第４および第５の引出部を含む。ｊ個の第３の電極は、第４の引出部に接続された第１の陰極電極と、第５の引出部に接続された第２の陰極電極とを含む。
【００２９】
好ましくは、第４および第５の引出部は、当該電気素子の長さ方向において第１の引出部と第２の引出部との間に配置されている。
【００３０】
好ましくは、ｎ個の第１の導体板の各々は、第４の引出部をさらに含む。第４の引出部は、第１の導体板の面内方向において第１および第２の引出部と反対方向に突出している。ｍ個の第２の導体板の各々は、第５の引出部をさらに含む。第５の引出部は、第２の導体板の面内方向において第３の引出部と反対方向に突出している。
【００３１】
好ましくは、電気素子は、第３の導体板をさらに備える。第３の導体板は、ｎ個の第１の導体板と電気的に並列に第１および第２の電極に接続される。
【００３２】
この発明による電気素子においては、ｎ個の第１の導体板は、第１の電極を介して略同じ直列抵抗で電流を受け、その受けた電流を略同じ直列抵抗で第２の電極へ流す。その結果、１枚の第１の導体板に流す電流を決定すれば、ｎ個の第１の導体板の全体に流す電流は、１枚の第１の導体板に流す電流を第１の導体板の積層数倍した電流と決定される。
【００３３】
したがって、この発明によれば、素子全体で流せる直流電流を容易に決定できる。
【００３４】
また、この発明による電気素子においては、陽極電極に接続される第１の導体板の一方端に配置された第１の引出部と、陰極電極に接続される第２の導体板の第３の引出部との距離を第１の距離とし、陽極電極に接続される第１の導体板の他方端に配置された第２の引出部と、陰極電極に接続される第２の導体板の第３の引出部との距離を第２の距離とした場合、第１および第２の距離の和を電気素子の全長で除算した距離／長さ比が従来の電気素子における距離／長さ比よりも小さい比に設定される。その結果、この発明による電気素子において、交流電流が第１および第２の導体板間を流れる距離は、従来の電気素子において、交流電流が２つの導体板間を流れる距離よりも短くなり、この発明による電気素子と接地電位との間のインダクタンスが従来の電気素子と接地電位との間のインダクタンスよりも小さくなる。
【００３５】
したがって、この発明によれば、インピーダンスを従来の伝送線路型ノイズフィルタよりも小さくできる。
【００３６】
さらに、この発明による電気素子においては、第３の導体板が第１および第２の電極間にｎ個の第１の導体板と電気的に並列に接続される。その結果、直流電流は、ｎ個の第１の導体板および第３の導体板を第１の電極側から第２の電極側へ流れる。
【００３７】
したがって、この発明によれば、第３の導体板がない場合に比べ、より多くの直流電流を流すことができる。
【図面の簡単な説明】
【００３８】
【図１】この発明の実施の形態１による電気素子の構成を示す斜視図である。
【図２】図１に示す誘電体層および導体板の寸法を説明するための図である。
【図３】図１に示す他の誘電体層および他の導体板の寸法を説明するための図である。
【図４】隣接する２つの導体板の平面図である。
【図５】電気素子の一方の導体板と陽極電極との接続方法を説明するための概念図である。
【図６】電気素子の他方の導体板と陰極電極との接続方法を説明するための概念図である。
【図７】図１に示す電気素子の機能を説明するための斜視図である。
【図８】導線を流れる電流によって生成される磁束密度を説明するための図である。
【図９】２つの導線間において磁気的干渉が生じた場合の実効インダクタンスを説明するための図である。
【図１０】図１に示す電気素子が配置される基板の斜視図である。
【図１１】図１に示す電気素子が基板上に配置された状態を示す概念図である。
【図１２】図１に示す電気素子の使用状態を示す概念図である。
【図１３】図１に示す電気素子に用いられる一方の導体板の他の例を示す概略図である。
【図１４】図１に示す電気素子に用いられる一方の導体板のさらに他の例を示す概略図である。
【図１５】図１に示す電気素子に用いられる一方の導体板のさらに他の例を示す概略図である。
【図１６】図１に示す電気素子に用いられる一方の導体板のさらに他の例を示す概略図である。
【図１７】図１５に示す導体板が用いられたときの電気素子の斜視図である。
【図１８】図１５に示す導体板が用いられたときの電気素子の他の斜視図である。
【図１９】図１６に示す導体板が用いられたときの電気素子の斜視図である。
【図２０】図１６に示す導体板が用いられたときの電気素子の他の斜視図である。
【図２１】実施の形態２による電気素子の構成を示す斜視図である。
【図２２】図２１に示す誘電体層および導体板の寸法を説明するための図である。
【図２３】図２１に示す電気素子の他方の導体板と陰極電極との接続方法を説明するための概念図である。
【図２４】図２１に示す電気素子が配置される基板の斜視図である。
【図２５】図２１に示す電気素子が基板上に配置された状態を示す概念図である。
【図２６】実施の形態２による他の電気素子の構成を示す斜視図である。
【図２７】図２６に示す導体板の斜視図である。
【図２８】図２６に示す線ＸＸＶＩＩＩ−ＸＸＶＩＩＩ間における電気素子の断面図である。
【図２９】インピーダンスと周波数との関係を示す図である。
【図３０】インピーダンスと周波数との他の関係を示す図である。
【図３１】実施の形態３による電気素子の構成を示す斜視図である。
【図３２】図３１に示す積層体の斜視図である。
【図３３】図３２に示す誘電体層および導体板の寸法を説明するための図である。
【図３４】隣接する２つの導体板の平面図である。
【図３５】図３１に示す電気素子の第１の断面図である。
【図３６】図３１に示す電気素子の第２の断面図である。
【図３７】実施の形態４による電気素子の構成を示す斜視図である。
【図３８】図３７に示す誘電体層および導体板の寸法を説明するための図である。
【図３９】図３７に示す２つの導体板の平面図である。
【図４０】図３７に示す電気素子における１個のコンデンサの構成を示す斜視図である。
【図４１】従来の電気素子の構成を示す斜視図である。
【図４２】図４１に示す積層体の構成を示す斜視図である。
【図４３】図４２に示す隣接する２つの導体板の平面図である。
【図４４】電気素子のインピーダンスと周波数との関係を示す図である。
【図４５】電気素子の等価回路である。
【図４６】実施の形態４による他の電気素子の構成を示す斜視図である。
【図４７】図４６に示す誘電体層および導体板の寸法を示す図である。
【図４８】図４６に示す隣接する２つの導体板の平面図である。
【図４９】図４６に示す電気素子において１個のコンデンサを構成する２個の導体板と陽極電極および陰極電極との接続状態を示す斜視図である。
【図５０】実施の形態４によるさらに他の電気素子の構成を示す斜視図である。
【図５１】実施の形態４によるさらに他の電気素子の構成を示す斜視図である。
【図５２】図５１に示す誘電体層および導体板の寸法を説明するための斜視図である。
【図５３】図５１に示す隣接する２つの導体板の平面図である。
【図５４】実施の形態４によるさらに他の電気素子の構成を示す斜視図である。
【図５５】図５４に示す誘電体層および導体板の寸法を説明するための図である。
【図５６】図５４に示す隣接する２つの導体板の平面図である。
【図５７】図５４に示す電気素子において１つのコンデンサを構成する導体板と陽極電極および陰極電極との接続状態を示す図である。
【図５８】実施の形態５による電気素子の構成を示す斜視図である。
【図５９】実施の形態５による他の電気素子の構成を示す斜視図である。
【図６０】実施の形態５によるさらに他の電気素子の構成を示す斜視図である。
【図６１】実施の形態５によるさらに他の電気素子の構成を示す斜視図である。
【図６２】実施の形態５によるさらに他の電気素子の構成を示す斜視図である。
【図６３】図６２に示すＡ方向から見た電気素子の斜視図である。
【図６４】実施の形態５によるさらに他の電気素子の構成を示す斜視図である。
【図６５】従来の電気素子（図４１および図４２参照）において誘電体層および導体板の積層数（即ち、電気素子の高さ）を変えたときの第１の斜視図である。
【図６６】従来の電気素子（図４１および図４２参照）において誘電体層および導体板の積層数（即ち、電気素子の高さ）を変えたときの第２の斜視図である。
【図６７】従来の電気素子（図４１および図４２参照）において誘電体層および導体板の積層数（即ち、電気素子の高さ）を変えたときの第３の斜視図である。
【図６８】従来の電気素子（図４１および図４２参照）において誘電体層および導体板の積層数（即ち、電気素子の高さ）を変えたときの第４の斜視図である。
【図６９】従来の電気素子（図４１および図４２参照）において誘電体層および導体板の積層数（即ち、電気素子の高さ）を変えたときの第５の斜視図である。
【図７０】実施の形態２による電気素子（図２１参照）において誘電体層および導体板の積層数（即ち、電気素子の幅）を変えたときの第１の斜視図である。
【図７１】実施の形態２による電気素子（図２１参照）において誘電体層および導体板の積層数（即ち、電気素子の幅）を変えたときの第２の斜視図である。
【図７２】実施の形態２による電気素子（図２１参照）において誘電体層および導体板の積層数（即ち、電気素子の幅）を変えたときの第３の斜視図である。
【図７３】実施の形態２による電気素子（図２１参照）において誘電体層および導体板の積層数（即ち、電気素子の幅）を変えたときの第４の斜視図である。
【図７４】実施の形態２による電気素子（図２１参照）において誘電体層および導体板の積層数（即ち、電気素子の幅）を変えたときの第５の斜視図である。
【図７５】図６５〜図６９にそれぞれ示す電気素子におけるインピーダンスと周波数との関係を示す図である。
【図７６】図７０〜図７４にそれぞれ示す電気素子におけるインピーダンスと周波数との関係を示す図である。
【図７７】インピーダンスと外形寸法との関係を示す図である。
【図７８】図６５〜６９にそれぞれ示す電気素子において陽極電極と陰極電極との間隔を０．５ｍｍに設定した場合のインピーダンスと周波数との関係を示す図である。
【図７９】図７０〜図７４にそれぞれ示す電気素子において陽極電極と陰極電極との関係を０．５ｍｍに設定した場合のインピーダンスと周波数との関係を示す図である。
【図８０】インピーダンスと外形寸法との他の関係を示す図である。
【図８１】従来の貫通型三端子コンデンサの斜視図である。
【図８２】図８１に示す線ＸＸＸＸＸＸＸＸＩＩ−ＸＸＸＸＸＸＸＸＩＩ間における貫通型三端子コンデンサの断面図である。
【発明を実施するための最良の形態】
【００３９】
本発明の実施の形態について図面を参照しながら詳細に説明する。なお、図中同一または相当部分には同一符号を付してその説明は繰返さない。【００４０】
［実施の形態１］
図１は、この発明の実施の形態１による電気素子の構成を示す斜視図である。図１を参照して、この発明の実施の形態１による電気素子１００は、誘電体層１〜１０と、導体板１１〜１４，２１〜２５と、陽極電極３０，４０と、陰極電極５０，６０とを備える。【００４１】
誘電体層１〜１０は、基板の面内方向である幅方向ＤＲ１に、順次、積層される。導体板１１〜１４は、それぞれ、誘電体層２，３間、誘電体層４，５間、誘電体層６，７間および誘電体層８，９間に配置され、導体板２１〜２５は、それぞれ、誘電体層１，２間、誘電体層３，４間、誘電体層５，６間、誘電体層７，８間および誘電体層９，１０間に配置される。その結果、誘電体層１〜９は、それぞれ、導体板２１，１１，２２，１２，２３，１３，２４，１４，２５を支持する。【００４２】
陽極電極３０，４０および陰極電極５０，６０は、電気素子１００の底面１００Ａと、側面１００Ｂ，１００Ｃの一部とに設けられる。そして、陽極電極３０は、導体板１１〜１４の一方端に接続され、陽極電極４０は、導体板１１〜１４の他方端に接続される。陰極電極５０は、導体板２１〜２５の第１の部分で導体板２１〜２５に接続され、陰極電極６０は、導体板２１〜２５の第２の部分で導体板２１〜２５に接続される。そして、２つの陰極電極５０，６０は、電気素子１００の長さ方向ＤＲ２において２つの陽極電極３０，４０間に設けられる。【００４３】
このように、電気素子１００は、導体板１１〜１４，２１〜２５が誘電体層１〜１０を挟んで交互に配置された構造からなり、２個の陽極電極３０，４０と、２個の陰極電極５０，６０とを有する。【００４４】
誘電体層１〜１０の各々は、たとえば、チタン酸バリウム（ＢａＴｉＯ３）からなり、陽極電極３０，４０、導体板１１〜１４，２１〜２５および陰極電極５０，６０の各々は、たとえば、ニッケル（Ｎｉ）からなる。【００４５】
図２は、図１に示す誘電体層２および導体板１１の寸法を説明するための図である。図２を参照して、誘電体層２は、略平板形状からなり、長さ方向ＤＲ２（＝導体板１１を電流が流れる方向）に長さＬ１を有し、長さ方向ＤＲ２に直交する幅方向ＤＲ１に幅Ｗ１を有する。長さＬ１は、たとえば、１５ｍｍに設定され、幅Ｗ１は、たとえば、１３ｍｍに設定される。なお、誘電体層２は、たとえば、２５μｍの厚みを有する。【００４６】
導体板１１は、略平板形状からなり、長さＬ１および幅Ｗ２を有する。そして、幅Ｗ２は、幅Ｗ１よりも狭く、たとえば、１１ｍｍに設定される。また、導体板１１は、たとえば、１０μｍ〜２０μｍの範囲の厚みを有する。【００４７】
導体板１１は、略長方形の形状からなり、長方形の同じ長辺側に引出部１１１，１１２を有する。引出部１１１は、長さ方向ＤＲ２において導体板１１の一方端側に設けられ、引出部１１２は、長さ方向ＤＲ２において導体板１１の他方端側に設けられる。そして、引出部１１１，１１２の各々は、幅方向ＤＲ１において幅Ｗ３を有し、長さ方向ＤＲ２において長さＬ２を有する。幅Ｗ３は、たとえば、０．５ｍｍに設定され、長さＬ２は、たとえば、１ｍｍに設定される。また、引出部１１１と引出部１１２との間隔は、Ｌ３に設定される。間隔Ｌ３は、たとえば、１３ｍｍに設定される。【００４８】
なお、導体板１２〜１４の各々は、図２に示す導体板１１と同じ形状および同じ寸法を有する。【００４９】
図３は、図１に示す他の誘電体層１および他の導体板２１の寸法を説明するための図である。図３を参照して、誘電体層１は、略平板形状からなり、誘電体層２と同じ長さＬ１および同じ幅Ｗ１を有する。そして、誘電体層１は、たとえば、２５μｍの厚みを有する。【００５０】
導体板２１は、略平板形状からなり、長さＬ１よりも短い長さＬ４と、幅Ｗ２とを有する。長さＬ４は、たとえば、１３ｍｍに設定される。そして、導体板２１は、たとえば、１０μｍ〜２０μｍの範囲の厚みを有する。【００５１】
導体板２１は、引出部２１１，２１２を有する。引出部２１１は、長さＬ２および幅Ｗ３を有し、導体板２１の一方端２１ａから距離Ｌ５の位置に設けられる。また、引出部２１２は、長さＬ２および幅Ｗ３を有し、導体板２１の他方端２１ｂから距離Ｌ５の位置に設けられる。その結果、引出部２１１と引出部２１２との間隔は、Ｌ６に設定される。距離Ｌ５は、たとえば、２ｍｍに設定される。その結果、間隔Ｌ６は、７ｍｍになる。【００５２】
なお、導体板２２〜２５の各々は、図３に示す導体板２１と同じ形状および同じ寸法を有する。また、誘電体層３〜１０の各々は、図２に示す誘電体層２および図３に示す誘電体層１と同じ形状および同じ寸法を有する。【００５３】
図４は、隣接する２つの導体板の平面図である。図４を参照して、導体板１１および導体板２１を１つの平面へ投影すると、導体板１１および２１は、重複部分２０を有する。そして、導体板１１と導体板２１との重複部分２０は、長さＬ４および幅Ｗ２を有する。導体板１１と導体板２２との重複部分、導体板１２と導体板２２との重複部分、導体板１２と導体板２３との重複部分、導体板１３と導体板２３との重複部分、導体板１３と導体板２４との重複部分、導体板１４と導体板２４との重複部分、および導体板１４と導体板２５との重複部分も、重複部分２０と同じ長さＬ４および同じ幅Ｗ２を有する。そして、実施の形態１においては、Ｗ２≦Ｌ４になるように、長さＬ４および幅Ｗ２が設定される。【００５４】
図５は、電気素子１００の一方の導体板１１〜１４と陽極電極３０，４０との接続方法を説明するための概念図である。図５を参照して、陽極電極３０，４０は、幅方向ＤＲ１に帯状に配置される。そして、４枚の導体板１１〜１４の４個の引出部１１１は、陽極電極３０に接続され、４枚の導体板１１〜１４の４個の引出部１１２は、陽極電極４０に接続される。その結果、４枚の導体板１１〜１４と陽極電極３０との接続部分である４個の引出部１１１は、幅方向ＤＲ１に配置され、４枚の導体板１１〜１４と陽極電極４０との接続部分である４個の引出部１１２は、幅方向ＤＲ１に配置される。【００５５】
陽極電極３０が電源に接続され、陽極電極４０が電気負荷に接続された場合、直流電流は、各導体板１１〜１４を矢印のように流れる。【００５６】
図６は、電気素子１００の他方の導体板２１〜２５と陰極電極５０，６０との接続方法を説明するための概念図である。図６を参照して、陰極電極５０，６０は、幅方向ＤＲ１に帯状に配置される。そして、５枚の導体板２１〜２５の５個の引出部２１１は、陰極電極５０に接続され、５枚の導体板２１〜２５の５個の引出部２１２は、陰極電極６０に接続される。その結果、５枚の導体板２１〜２５と陰極電極５０との接続部分である５個の引出部２１１は、幅方向ＤＲ１に配置され、５枚の導体板２１〜２５と陰極電極６０との接続部分である５個の引出部２１２は、幅方向ＤＲ１に配置される。【００５７】
陰極電極５０が電源に接続され、陰極電極６０が電気負荷に接続された場合、直流電流は、各導体板２１〜２５を矢印のように流れる。【００５８】
導体板１１〜１４は、図５に示す態様で陽極電極３０，４０に接続され、導体板２１〜２５は、図６に示す態様で陰極電極５０，６０に接続される。その結果、導体板２１／誘電体層２／導体板１１、導体板１１／誘電体層３／導体板２２、導体板２２／誘電体層４／導体板１２、導体板１２／誘電体層５／導体板２３、導体板２３／誘電体層６／導体板１３、導体板１３／誘電体層７／導体板２４、導体板２４／誘電体層８／導体板１４、および導体板１４／誘電体層９／導体板２５は、陽極電極３０，４０と陰極電極５０，６０との間に並列に接続された８個のコンデンサを構成する。【００５９】
この場合、各コンデンサの電極面積は、隣接する２つの導体板の重複部分２０（図４参照）の面積に等しい。【００６０】
図１に示す電気素子１００は、次の方法によって製造される。長さＬ１および幅Ｗ１を有する誘電体層１（ＢａＴｉＯ３）となるグリーンシートの表面に、長さＬ４および幅Ｗ２を有する領域にＮｉペーストをスクリーン印刷により塗布し、誘電体層１の表面にＮｉからなる導体板２１を形成する。【００６１】
同じようにして、ＢａＴｉＯ３からなる誘電体層３，５，７，９を作製し、その作製した誘電体層３，５，７，９上にそれぞれＮｉからなる導体板２２〜２５を形成する。【００６２】
引き続いて、長さＬ１および幅Ｗ１を有する誘電体層２（ＢａＴｉＯ３）となるグリーンシートの表面に、長さＬ１および幅Ｗ２を有する領域にＮｉペーストをスクリーン印刷により塗布し、誘電体層２の表面にＮｉからなる導体板１１を形成する。【００６３】
同じようにして、ＢａＴｉＯ３からなる誘電体層４，６，８を作製し、その作製した誘電体層４，６，８上にＮｉからなる導体板１２〜１４を形成する。【００６４】
さらに、誘電体層１０（ＢａＴｉＯ３）となるグリーンシートを作製する。【００６５】
その後、導体板２１，１１，２２，１２，２３，１３，２４，１４，２５がそれぞれ形成された誘電体層１〜９のグリーンシートおよび誘電体層１０のグリーンシートを幅方向ＤＲ１に、順次、積層する。これによって、陽極電極３０，４０に接続される導体板１１〜１４および陰極電極５０，６０に接続される導体板２１〜２５は、交互に積層される。【００６６】
さらに、Ｎｉペーストをスクリーン印刷によって塗布し、陽極電極３０，４０および陰極電極５０，６０を形成する。その後、１３５０℃の焼成温度で焼成して電気素子１００が完成する。【００６７】
なお、電気素子１００の作製においては、グリーンシートを使用せず、誘電体のペーストを印刷して乾燥させ、その上に導体を印刷し、さらに、誘電体のペーストを印刷して同様な工程を行い、積層していく方法もある。【００６８】
図７は、図１に示す電気素子１００の機能を説明するための斜視図である。図７を参照して、電気素子１００に電流を流す場合、陰極電極５０，６０を接地電位に接続し、導体板１１〜１４に流れる電流が導体板２１〜２５に流れる電流と逆向きになるように電流を電気素子１００に流す。【００６９】
たとえば、電流が陽極電極３０から陽極電極４０の方向へ流れるように電流を電気素子１００に流す。そうすると、電流は、陽極電極３０から引出部１１１を介して導体板１１へ流れ、導体板１１を矢印７０の方向へ流れ、さらに、引出部１１２を介して陽極電極４０へ流れる。【００７０】
また、導体板１１を流れる電流のリターン電流は、陰極電極６０から引出部２１２を介して導体板２１に流れ、導体板２１を矢印７０と反対方向である矢印８０の方向へ流れ、さらに、引出部２１１を介して陰極電極５０へ流れる。【００７１】
電流は、導体板１２〜１４の各々についても、導体板１１と同じように流れ、導体板２２〜２５の各々についても、導体板２１と同じように流れる。【００７２】
そうすると、導体板１１〜１４を流れる電流Ｉ１と、導体板２１〜２５を流れる電流Ｉ２とは、大きさが等しく、かつ、向きが逆方向の電流となる。【００７３】
図８は、導線を流れる電流によって生成される磁束密度を説明するための図である。また、図９は、２つの導線間において磁気的干渉が生じた場合の実効インダクタンスを説明するための図である。【００７４】
図８を参照して、無限に長い直線導線に電流Ｉが流れているとき、導線から距離ａの位置に存在する点Ｐに生じる磁束密度Ｂは、【００７５】
【数１】
2008044376.tif 000003
【００７６】
によって表される。ただし、μ０は、真空の透磁率である。【００７７】
また、図８に示す導線が２本になり、お互いに磁気的な干渉が生じたときには、２本の導線の自己インダクタンスをそれぞれＬ１１，Ｌ２２とし、結合係数をｋ（０＜ｋ＜１）とし、２本の導線の相互インダクタンスをＬ１２とすると、相互インダクタンスＬ１２は、次式によって表される。【００７８】
【数２】
2008044376.tif 000004
【００７９】
ここで、Ｌ１１＝Ｌ２２の場合、相互インダクタンスＬ１２は、次式になる。【００８０】
【数３】
2008044376.tif 000005
【００８１】
図９を参照して、導線Ａと導線Ｂとがリード線Ｃによって接続され、大きさが等しく、かつ、向きが逆方向の電流が導線Ａ，Ｂに流れる場合を想定すると、導線Ａの実効インダクタンスＬ１１ｅｆｆｅｃｔｉｖｅは、次式によって表される。【００８２】
【数４】
2008044376.tif 000006
【００８３】
このように、２本の導線Ａ，Ｂ間に磁気的干渉が生じる場合、導線Ａの実効インダクタンスＬ１１ｅｆｆｅｃｔｉｖｅは、導線Ｂとの間の相互インダクタンスＬ１２によって導線Ａの自己インダクタンスＬ１１よりも小さくなる。これは、導線Ａに流れる電流Ｉが生成する磁束φＡの方向が導線Ｂに流れる電流−Ｉが生成する磁束φＢの方向と逆向きになり、導線Ａに流れる電流Ｉが生成する実効的な磁束密度が小さくなるからである。【００８４】
電気素子１００においては、上述したように、導体板１１は、導体板２１，２２から２５μｍの位置に配置され、導体板１２は、導体板２２，２３から２５μｍの位置に配置され、導体板１３は、導体板２３，２４から２５μｍの位置に配置され、導体板１４は、導体板２４，２５から２５μｍの位置に配置されるため、導体板１１と導体板２１，２２との間、導体板１２と導体板２２，２３との間、導体板１３と導体板２３，２４との間および導体板１４と導体板２４，２５との間に磁気的干渉が生じ、導体板１１〜１４を流れる電流Ｉ１は、導体板２１〜２５を流れる電流Ｉ２と大きさが等しく、かつ、向きが逆方向であるため、導体板１１〜１４の実効インダクタンスは、導体板１１〜１４と導体板２１〜２５との間の相互インダクタンスによって導体板１１〜１４の自己インダクタンスよりも小さくなる。【００８５】
電気素子１００全体の実効キャパシタンスをＣとすると、電気素子１００のインピーダンスＺｓは、次式によって表される。【００８６】
【数５】
2008044376.tif 000007
【００８７】
電気素子１００においては、上述したように、並列に接続された８個のコンデンサが形成されるので、１個のコンデンサが形成される場合に比べ、実効キャパシタンスＣは大きくなる。【００８８】
したがって、電気素子１００においては、キャパシタンスが支配的な低周波数領域においては、実効キャパシタンスＣが大きくなることによってインピーダンスＺｓが低下し、インダクタンスが支配的な高周波数領域においては、上述した実効インダクタンスＬの低下によってインピーダンスＺｓが低下する。【００８９】
その結果、電気素子１００は、広い周波数領域において、相対的に低いインピーダンスＺｓを有する。【００９０】
図１０は、図１に示す電気素子１００が配置される基板の斜視図である。図１０を参照して、基板２００は、誘電体２０１と、導体板２０２〜２０５と、ビアホール２０６，２０７とを含む。誘電体２０１は、略板状形状からなる。導体板２０２，２０３は、同じ厚みを有し、誘電体２０１の表面２０１Ａに所定の間隔を隔てて配置される。そして、導体板２０２，２０３の各々は、電気素子１００の幅と同じ幅を有する。導体板２０４，２０５は、同じ厚みを有し、誘電体２０１の裏面２０１Ｂに所定の間隔を隔てて配置される。【００９１】
ビアホール２０６は、導体板２０２の近傍に配置される。そして、ビアホール２０６は、誘電体２０１を貫通し、一方端が導体板２０４に接続されるとともに、他方端の端面が導体板２０２の表面２０２Ａに略一致するように他方端が誘電体２０１の表面２０１Ａから突出している。ビアホール２０７は、導体板２０３の近傍に配置される。そして、ビアホール２０７は、誘電体２０１を貫通し、一方端が導体板２０５に接続されるとともに、他方端の端面が導体板２０３の表面２０３Ａに略一致するように他方端が誘電体２０１の表面２０１Ａから突出している。【００９２】
図１１は、図１に示す電気素子１００が基板２００上に配置された状態を示す概念図である。電気素子１００は、基板２００上に配置される。この場合、陽極電極３０は、導体板２０２に接続され、陽極電極４０は、導体板２０３に接続され、陰極電極５０は、ビアホール２０６を介して導体板２０４に接続され、陰極電極６０は、ビアホール２０７を介して導体板２０５に接続される。【００９３】
上述したように、導体板２０２は、電気素子１００の幅に等しい幅を有するため、陽極電極３０が導体板２０２に接続されることによって、電気素子１００を構成する４枚の導体板１１〜１４の４個の引出部１１１と導体板２０２との距離は、等しい距離（＝陽極電極３０の厚み）に設定される。また、導体板２０３は、電気素子１００の幅に等しい幅を有するため、陽極電極４０が導体板２０３に接続されることによって、電気素子１００を構成する４枚の導体板１１〜１４の４個の引出部１１２と導体板２０３との距離は、等しい距離（＝陽極電極４０の厚み）に設定される。【００９４】
電気素子１００が基板２００上に実装される場合、導体板２０２は、電源（図示せず）に接続され、導体板２０３は、電気負荷（図示せず）に接続される。その結果、電源から電気素子１００に供給された電流Ｉは、導体板２０２から陽極電極３０を介して電気素子１００の導体板１１〜１４に流れ、導体板１１〜１４を長さ方向ＤＲ２に流れる。そして、電流Ｉは、陽極電極４０を介して導体板２０３に流れ、電気負荷に供給される。【００９５】
また、電気負荷からのリターン電流Ｉｒは、導体板２０５に供給され、ビアホール２０７および陰極電極６０を介して電気素子１００の導体板２１〜２５を流れ、陰極電極５０およびビアホール２０６を介して導体板２０４に流れ、電源へ戻る。【００９６】
そうすると、４枚の導体板１１〜１４の４個の引出部１１１と導体板２０２との距離は、等しいので、電源から供給された電流Ｉは、同じ抵抗で導体板２０２から４枚の導体板１１〜１４へ供給される。そして、４枚の導体板１１〜１４は、陽極電極３０，４０間に並列に接続されているので、４枚の導体板１１〜１４には、等しい電流（＝Ｉ／４）が流れる。したがって、１枚の導体板１１に流れる電流を決めれば、４枚の導体板１１〜１４全体に流れる電流は、１枚の導体板１１に流れる電流を積層数倍（＝４倍）にした電流になり、電気素子１００全体に流れる電流を容易に決定できる。【００９７】
電気素子１００が基板２００上に実装される場合、導体板２０２，２０３は、信号線として機能するため、電気素子１００において、４枚の導体板１１〜１４および５枚の導体板２１〜２５は、陽極電極３０が接続される信号線（＝導体板２０２）および陽極電極４０が接続される信号線（＝導体板２０３）の幅方向（＝ＤＲ１）に積層されていることになる。【００９８】
また、電気素子１００において、４枚の導体板１１〜１４および５枚の導体板２１〜２５は、基板２００の法線方向が導体板１１〜１４，２１〜２５の幅方向と略平行になるように積層されていることになる。【００９９】
さらに、電気素子１００において、４枚の導体板１１〜１４と陽極電極３０との４個の接続部分（＝４個の引出部１１１）は、基板２００の面内方向に配列され、４枚の導体板１１〜１４と陽極電極４０との４個の接続部分（＝４個の引出部１１２）は、基板２００の面内方向に配列されていることになる。【０１００】
図１２は、図１に示す電気素子１００の使用状態を示す概念図である。図１２を参照して、電気素子１００は、電源１２０と、ＣＰＵ（Ｃｅｎｔｒａｌ  Ｐｒｏｃｅｓｓｉｎｇ  Ｕｎｉｔ）１３０との間に接続される。電源１２０は、正極端子１２１および負極端子１２２を有する。ＣＰＵ１３０は、正極端子１３１および負極端子１３２を有する。【０１０１】
導体板２０２（信号線）は、一方端が電源１２０の正極端子１２１に接続され、他方端が電気素子１００の陽極電極３０に接続される。導体板２０４は、一方端がビアホール２０８を介して電源１２０の負極端子１２２に接続され、他方端がビアホール２０６を介して電気素子１００の陰極電極５０に接続される。【０１０２】
導体板２０３（信号線）は、一方端が電気素子１００の陽極電極４０に接続され、他方端がＣＰＵ１３０の正極端子１３１に接続される。導体板２０５は、一方端がビアホール２０７を介して電気素子１００の陰極電極６０に接続され、他方端がビアホール２０９を介してＣＰＵ１３０の負極端子１３２に接続される。【０１０３】
そうすると、電源１２０の正極端子１２１から出力された電流Ｉは、導体板２０２（信号線）を介して電気素子１００の陽極電極３０に流れ、電気素子１００内を、４個の引出部１１１、導体板１１〜１４、４個の引出部１１２および陽極電極４０の順に流れる。そして、電流Ｉは、陽極電極４０から導体板２０３（信号線）および正極端子１３１を介してＣＰＵ１３０へ流れ込む。【０１０４】
これによって、電流Ｉは、電源電流としてＣＰＵ１３０へ供給される。そして、ＣＰＵ１３０は、電流Ｉによって駆動され、電流Ｉと同じ大きさのリターン電流Ｉｒを負極端子１３２から出力する。【０１０５】
そうすると、リターン電流Ｉｒは、ビアホール２０９を介して導体板２０５に流れ、導体板２０５からビアホール２０７および陰極電極６０を介して電気素子１００の導体板２１〜２５に流れる。そして、リターン電流Ｉｒは、陰極電極５０からビアホール２０６を介して導体板２０４に流れ、導体板２０４からビアホール２０８および負極端子１２２を介して電源１２０に流れる。【０１０６】
その結果、電気素子１００において、電流Ｉが導体板１１〜１４を電源１２０側からＣＰＵ１３０側へ流れ、リターン電流Ｉｒが導体板２１〜２５をＣＰＵ１３０側から電源１２０側へ流れるため、電気素子１００の実効インダクタンスＬは、上述したように相対的に大きく低下する。また、電気素子１００は、並列に接続された８個のコンデンサを含むので、電気素子１００の実効キャパシタンスＣは、大きくなる。したがって、電気素子１００のインピーダンスＺｓは小さくなる。【０１０７】
そして、ＣＰＵ１３０は、電源１２０から電気素子１００を介して供給された電流Ｉによって駆動され、不要な高周波電流を発生する。この不要な高周波電流は、ビアホール２０９、導体板２０５およびビアホール２０７を介して電気素子１００へ漏れるが、電気素子１００は、上述したように、低いインピーダンスＺｓを有するため、不要な高周波電流は、電気素子１００およびＣＰＵ１３０からなる回路を流れ、電気素子１００から電源１２０側への漏洩が抑制される。【０１０８】
ＣＰＵ１３０の動作周波数は、高周波数側へシフトする傾向にあり、１ＧＨｚ程度での動作も想定される。このような高い動作周波数の領域においては、電気素子１００のインピーダンスＺｓは、主に実効インダクタンスＬによって決定され、実効インダクタンスＬは、上述したように相対的に大きく低下するので、電気素子１００は、高い動作周波数で動作するＣＰＵ１３０が発生する不要な高周波電流をＣＰＵ１３０の近傍に閉じ込めるノイズフィルタとして機能する。【０１０９】
上述したように、電気素子１００は、電源１２０とＣＰＵ１３０との間に接続され、ＣＰＵ１３０が発生する不要な高周波電流をＣＰＵ１３０の近傍に閉じ込めるノイズフィルタとして機能する。そして、電気素子１００が電源１２０とＣＰＵ１３０との間に接続される場合、導体板１１〜１４，２１〜２５は、伝送線路として接続される。すなわち、陽極電極３０，４０に接続された導体板１１〜１４と、陰極電極５０，６０に接続された導体板２１〜２５とを用いて構成されるコンデンサが端子を介して伝送線路に接続されるのではなく、導体板１１〜１４，２１〜２５が伝送線路の一部として接続される。したがって、導体板１１〜１４は、電源１２０から出力された電流Ｉが電源１２０側からＣＰＵ１３０側へ流れるための導体であり、導体板２１〜２５は、リターン電流ＩｒがＣＰＵ１３０側から電源１２０側へ流れるための導体である。その結果、等価直列インダクタンスを極力排除できる。【０１１０】
また、電気素子１００においては、陽極電極３０，４０に接続された導体板１１〜１４に流れる電流を、陰極電極５０，６０に接続された導体板２１〜２５に流れる電流と逆向きに設定することによって、導体板１１〜１４と導体板２１〜２５との間に磁気的干渉を生じさせ、導体板１１〜１４の自己インダクタンスを導体板１１〜１４と導体板２１〜２５との間の相互インダクタンスによって減少させる。そして、これによって、電気素子１００の実効インダクタンスＬを減少させ、電気素子１００のインピーダンスＺｓを低下させる。【０１１１】
このように、この発明においては、コンデンサの電極を構成する導体板１１〜１４，２１〜２５を伝送線路の一部として接続することを第１の特徴とし、陽極電極３０，４０に接続された導体板１１〜１４と、陰極電極５０，６０に接続された導体板２１〜２５とに逆向きの電流を流して導体板１１〜１４と導体板２１〜２５との間に磁気的干渉を生じさせることによって導体板１１〜１４の実効インダクタンスを導体板１１〜１４の自己インダクタンスよりも小さくし、それによって電気素子１００のインピーダンスＺｓを小さくすることを第２の特徴とし、電源電流を流す導体板１１〜１４の各々が接地電位に接続される２つの導体板（導体板２１，２２、導体板２２，２３、導体板２３，２４および導体板２４，２５）によって挟まれることを第３の特徴とする。【０１１２】
さらに、導体板１１〜１４，２１〜２５の積層方向を導体板２０２，２０３（信号線）の幅方向とすることを第４の特徴とする。【０１１３】
この第２の特徴は、ＣＰＵ１３０からのリターン電流Ｉｒを電気素子１００の内部に配置された導体板２１〜２５に流す構成を採用することによって実現される。【０１１４】
そして、第１の特徴によって等価直列インダクタンスを極力排除でき、第２の特徴によって不要な高周波電流をＣＰＵ１３０の近傍に閉じ込めることができる。また、第３の特徴によって電気素子１００のノイズが外部へ出るのを抑制できるとともに、電気素子１００が外部からのノイズに影響されるのを抑制できる。さらに、第４の特徴によって、１枚の導体板１１に流れる電流を決めれば、４枚の導体板１１〜１４全体に流れる電流は、１枚の導体板１１に流れる電流を積層数倍（＝４倍）にした電流になり、電気素子１００全体に流れる電流を容易に決定できる。【０１１５】
図１３は、図１に示す電気素子１００に用いられる一方の導体板の他の例を示す概略図である。実施の形態１による電気素子１００は、導体板１１〜１４に代えて図１３に示す導体板１１Ａを備えていてもよい。【０１１６】
図１３を参照して、導体板１１Ａは、長さＬ１および幅Ｗ４の略板状形状からなり、導体板１１と同じ引出部１１１，１１２を有する。そして、幅Ｗ４は、たとえば、１２ｍｍに設定される。この場合、幅Ｗ３と幅Ｗ４との和は、誘電体層２の幅Ｗ１に等しい。このように、導体板１１Ａは、図２に示す導体板１１の幅Ｗ２を幅Ｗ４へ広くしたものであり、その他は、導体板１１と同じである。【０１１７】
電気素子１００は、導体板１１〜１４に代えて、各々が導体板１１Ａからなる４枚の導体板を備えていてもよい。【０１１８】
図１４は、図１に示す電気素子１００に用いられる一方の導体板のさらに他の例を示す概略図である。実施の形態１による電気素子１００は、導体板１１〜１４に代えて図１４に示す導体板１１Ｂを備えていてもよい。【０１１９】
図１４を参照して、導体板１１Ｂは、長さＬ１および幅Ｗ５の略板状形状からなり、引出部１１１〜１１４を有する。そして、幅Ｗ５は、たとえば、１１ｍｍに設定される。引出部１１３，１１４の各々は、長さＬ２および幅Ｗ３を有する。すなわち、４個の引出部１１１〜１１４は、同じ寸法を有する。そして、導体板１１Ｂにおいては、２×Ｗ３＋Ｗ５＝Ｗ１が成立する。このように、導体板１１Ｂは、図２に示す導体板１１の幅Ｗ２を幅Ｗ５に変え、引出部１１１，１１２に加え、２個の引出部１１３，１１４を追加したものであり、その他は、導体板１１と同じである。【０１２０】
電気素子１００は、導体板１１〜１４に代えて、各々が導体板１１Ｂからなる４枚の導体板を備えていてもよい。【０１２１】
図１５は、図１に示す電気素子１００に用いられる一方の導体板のさらに他の例を示す概略図である。実施の形態１による電気素子１００は、導体板１１〜１４に代えて図１５に示す導体板１１Ｃを備えていてもよい。【０１２２】
図１５を参照して、導体板１１Ｃは、長さＬ１および幅Ｗ５の略板状形状からなり、引出部１１２，１１３を有する。このように、導体板１１Ｃは、図１４に示す導体板１１Ｂの２個の引出部１１１，１１４を削除したものであり、その他は、導体板１１Ｂと同じである。その結果、導体板１１Ｃは、長方形の対角線上に２個の引出部１１２，１１３を有する。【０１２３】
電気素子１００は、導体板１１〜１４に代えて、各々が導体板１１Ｃからなる４枚の導体板を備えていてもよい。【０１２４】
図１６は、図１に示す電気素子１００に用いられる一方の導体板のさらに他の例を示す概略図である。実施の形態１による電気素子１００は、導体板１１〜１４に代えて図１６に示す導体板１１Ｄを備えていてもよい。【０１２５】
図１６を参照して、導体板１１Ｄは、長さＬ１および幅Ｗ５の略板状形状からなり、引出部１１１，１１４を有する。このように、導体板１１Ｄは、図１４に示す導体板１１Ｂの２個の引出部１１２，１１３を削除したものであり、その他は、導体板１１Ｂと同じである。その結果、導体板１１Ｃは、長方形の対角線上に２個の引出部１１１，１１４を有する。【０１２６】
電気素子１００は、導体板１１〜１４に代えて、各々が導体板１１Ｄからなる４枚の導体板を備えていてもよい。【０１２７】
図１７は、図１５に示す導体板１１Ｃが用いられたときの電気素子１００の斜視図である。また、図１８は、図１５に示す導体板１１Ｃが用いられたときの電気素子１００の他の斜視図である。導体板１１〜１４の各々が図１５に示す導体板１１Ｃからなる場合、電気素子１００は、陽極電極３０に代えて陽極電極３０Ａを備える。陽極電極３０Ａは、電気素子１００の側面１００Ｂ，１００Ｃの一部および上面１００Ｄに帯状に形成される（図１７参照）。【０１２８】
図１７に示す電気素子１００が基板２００に実装される場合、基板２００は、導体板２０２（信号線）に代えて導体板２０２０（信号線）を備える。そして、導体板２０２０は、電気素子１００の幅と同じ幅を有し、第１から第３の部分２０２１〜２０２３からなる。第１の部分２０２１は、基板２００の誘電体２０１の表面２０１Ａに形成され、第２の部分２０２２は、第１の部分２０２１に略垂直に形成され、第３の部分２０２３は、第１の部分２０２１に略平行であり、かつ、第２の部分２０２２に略垂直に形成される。そして、導体板２０２０の第３の部分２０２３が電気素子１００の陽極電極３０Ａに接続される（図１８参照）。【０１２９】
これによって、電気素子１００の４枚の導体板１１〜１４（各々が導体板１１Ｃからなる）の４個の引出部１１３と陽極電極３０Ａとの距離は、等しくなり、導体板２０２０（信号線）に供給された電流Ｉは、等しい抵抗を介して４枚の導体板１１〜１４（各々が導体板１１Ｃからなる）に供給される。【０１３０】
したがって、図１５に示す導体板１１Ｃを用いた場合にも、１枚の導体板１１（＝１１Ｃ）に流れる電流を決めれば、４枚の導体板１１（＝１１Ｃ）〜１４（＝１１Ｃ）全体に流れる電流は、１枚の導体板１１（＝１１Ｃ）に流れる電流を積層数倍（＝４倍）にした電流になり、電気素子１００全体に流れる電流を容易に決定できる。【０１３１】
図１９は、図１６に示す導体板１１Ｄが用いられたときの電気素子１００の斜視図である。また、図２０は、図１６に示す導体板１１Ｄが用いられたときの電気素子１００の他の斜視図である。導体板１１〜１４の各々が図１６に示す導体板１１Ｄからなる場合、電気素子１００は、陽極電極４０に代えて陽極電極４０Ａを備える。陽極電極４０Ａは、電気素子１００の側面１００Ｂ，１００Ｃの一部および上面１００Ｄに帯状に形成される（図１９参照）。【０１３２】
図１９に示す電気素子１００が基板２００に実装される場合、基板２００は、導体板２０３（信号線）に代えて導体板２０３０（信号線）を備える。そして、導体板２０３０は、電気素子１００の幅と同じ幅を有し、第１から第３の部分２０３１〜２０３３からなる。第１の部分２０３１は、基板２００の誘電体２０１の表面２０１Ａに形成され、第２の部分２０３２は、第１の部分２０３１に略垂直に形成され、第３の部分２０３３は、第１の部分２０３１に略平行であり、かつ、第２の部分２０３２に略垂直に形成される。そして、導体板２０３０の第３の部分２０３３が電気素子１００の陽極電極４０Ａに接続される（図２０参照）。【０１３３】
これによって、電気素子１００の４枚の導体板１１〜１４（各々が導体板１１Ｄからなる）の４個の引出部１１４と陽極電極４０Ａとの距離は、等しくなり、４枚の導体板１１〜１４（各々が導体板１１Ｄからなる）に供給された電流Ｉは、等しい抵抗を介して導体板２０３０（信号線）に供給される。【０１３４】
したがって、図１６に示す導体板１１Ｄを用いた場合にも、１枚の導体板１１（＝１１Ｄ）に流れる電流を決めれば、４枚の導体板１１（＝１１Ｄ）〜１４（＝１１Ｄ）全体に流れる電流は、１枚の導体板１１（＝１１Ｄ）に流れる電流を積層数倍（＝４倍）にした電流になり、電気素子１００全体に流れる電流を容易に決定できる。【０１３５】
なお、導体板１１〜１４の各々が図１４に示す導体板１１Ｂからなる場合、電気素子１００は、陽極電極３０に代えて図１７に示す陽極電極３０Ａを備えていてもよく、陽極電極４０に代えて図１９に示す陽極電極４０Ａを備えていてもよい。この場合、電気素子１００は、ぞれぞれ、図１８および図２０に示す実装方法によって基板２００へ実装される。【０１３６】
上記においては、誘電体層１〜１０は、全て同じ誘電体材料（ＢａＴｉＯ３）により構成されると説明したが、この発明においては、これに限らず、誘電体層１〜１０は、相互に異なる誘電体材料により構成されていてもよく、２種類の誘電体材料により構成されていてもよく、一般的には、１種類以上の誘電体材料により構成されていればよい。この場合、誘電体層１〜１０を構成する各誘電体材料は、好ましくは、３０００以上の比誘電率を有する。【０１３７】
そして、ＢａＴｉＯ３以外の誘電体材料としては、Ｂａ（Ｔｉ，Ｓｎ）Ｏ３，Ｂｉ４Ｔｉ３Ｏ１２，（Ｂａ，Ｓｒ，Ｃａ）ＴｉＯ３，（Ｂａ，Ｃａ）（Ｚｒ，Ｔｉ）Ｏ３，（Ｂａ，Ｓｒ，Ｃａ）（Ｚｒ，Ｔｉ）Ｏ３，ＳｒＴｉＯ３，ＣａＴｉＯ３，ＰｂＴｉＯ３，Ｐｂ（Ｚｎ，Ｎｂ）Ｏ３，Ｐｂ（Ｆｅ，Ｗ）Ｏ３，Ｐｂ（Ｆｅ，Ｎｂ）Ｏ３，Ｐｂ（Ｍｇ，Ｎｂ）Ｏ３，Ｐｂ（Ｎｉ，Ｗ）Ｏ３，Ｐｂ（Ｍｇ，Ｗ）Ｏ３，Ｐｂ（Ｚｒ，Ｔｉ）Ｏ３，Ｐｂ（Ｌｉ，Ｆｅ，Ｗ）Ｏ３，Ｐｂ５Ｇｅ３Ｏ１１およびＣａＺｒＯ３等を用いることができる。【０１３８】
また、上記においては、陽極電極３０，４０，３０Ａ，４０Ａ、導体板１１〜１４，１１Ａ，１１Ｂ，１１Ｃ，１１Ｄ，２１〜２５および陰極電極５０，６０は、ニッケル（Ｎｉ）からなると説明したが、この発明においては、これに限らず、陽極電極３０，４０，３０Ａ，４０Ａ、導体板１１〜１４，１１Ａ，１１Ｂ，１１Ｃ，１１Ｄ，２１〜２５および陰極電極５０，６０は、銀（Ａｇ）、パラジウム（Ｐｄ）、銀パラジウム合金（Ａｇ−Ｐｄ）、白金（Ｐｔ）、金（Ａｕ）、銅（Ｃｕ）、ルビジウム（Ｒｕ）およびタングステン（Ｗ）のいずれかにより構成されてもよい。【０１３９】
さらに、上記においては、陽極電極３０，４０に接続される導体板の枚数は、４枚（導体板１１〜１４）であり、陰極電極５０，６０に接続される導体板の枚数は、５枚（導体板２１〜２５）であると説明したが、この発明においては、これに限らず、電気素子１００は、陽極電極３０，４０に接続されるｎ（ｎは正の整数）個の導体板と、陰極電極５０，６０に接続されるｍ（ｍは正の整数）個の導体板とを備えていればよい。この場合、電気素子１００は、ｊ（ｊ＝ｍ＋ｎ）個の誘電体層を備える。陽極電極３０，４０に接続される導体板と、陰極電極５０，６０に接続される導体板とを少なくとも１枚備えていれば、磁気的干渉を生じさせることができ、実効インダクタンスを小さくできるからである。【０１４０】
そして、この発明においては、電気素子１００に流れる電流が増加するに従って、陽極電極３０，４０に接続される導体板の枚数と、陰極電極５０，６０に接続される導体板の枚数とを増加させる。陽極電極３０，４０に接続される導体板および陰極電極５０，６０に接続される導体板が複数の導体板からなるとき、複数の導体板は、２個の陽極電極（３０，４０）間、または２個の陰極電極（５０，６０）間に並列に接続されるので、陽極電極３０，４０に接続される導体板の枚数と、陰極電極５０，６０に接続される導体板の枚数とを増加させれば、電気素子１００に流れる電流を増加できるからである。【０１４１】
また、この発明においては、電気素子１００のインピーダンスを相対的に低下させる場合、陽極電極３０，４０に接続される導体板の枚数と、陰極電極５０，６０に接続される導体板の枚数とを増加させる。陽極電極３０，４０に接続される導体板の枚数と、陰極電極５０，６０に接続される導体板の枚数とを増加させれば、並列接続されるコンデンサの個数が増加し、電気素子１００の実効キャパシタンスが大きくなってインピーダンスが低下するからである。【０１４２】
さらに、上記においては、電気素子１００は、ＣＰＵ１３０が発生する不要な高周波電流をＣＰＵ１３０の近傍に閉じ込めるノイズフィルタとして用いられると説明したが、この発明においては、これに限らず、電気素子１００は、コンデンサとしても使用される。電気素子１００は、上述したように、並列に接続された８個のコンデンサを含むので、コンデンサとしても使用可能である。【０１４３】
そして、より具体的には、電気素子１００は、ノートパソコン、ＣＤ−ＲＷ／ＤＶＤ装置、ゲーム機、情報家電、デジタルカメラ、自動車電装用、自動車用デジタル機器、ＭＰＵ周辺回路およびＤＣ／ＤＣコンバータ等に用いられる。【０１４４】
したがって、ノートパソコンおよびＣＤ−ＲＷ／ＤＶＤ装置等にコンデンサとして用いられているが、電源１２０とＣＰＵ１３０との間で使用されてＣＰＵ１３０が発生する不要な高周波電流をＣＰＵ１３０の近傍に閉じ込めるノイズフィルタの機能を有する電気素子は、この発明による電気素子１００に含まれる。【０１４５】
［実施の形態２］
図２１は、実施の形態２による電気素子の構成を示す斜視図である。図２１を参照して、実施の形態２による電気素子３００は、図１に示す電気素子１００の導体板２１〜２５を導体板３１〜３５に代え、陰極電極５０，６０を陰極電極９０に代えたものであり、その他は、電気素子１００と同じである。【０１４６】
導体板３１〜３５は、それぞれ、誘電体層１，２間、誘電体層３，４間、誘電体層５，６間、誘電体層７，８間、および誘電体層９，１０間に配置される。その結果、導体板１１〜１４，３１〜３５は、電気素子３００の幅方向ＤＲ１に交互に積層される。【０１４７】
陰極電極９０は、電気素子３００の底面３００Ａと側面３００Ｂ，３００Ｃの一部とに帯状に形成される。そして、陰極電極９０は、導体板３１〜３５に接続される。導体板３１〜３５および陰極電極９０の各々は、たとえば、Ｎｉからなる。【０１４８】
図２２は、図２１に示す誘電体層１および導体板３１の寸法を説明するための図である。図２２を参照して、導体板３１は、略平板形状からなり、長さＬ４および幅Ｗ２を有する。そして、導体板３１は、たとえば、１０μｍ〜２０μｍの範囲の厚みを有する。【０１４９】
導体板３１は、引出部３１１を有する。引出部３１１は、長さＬ２および幅Ｗ３を有し、導体板３１の両端３１ａ，３１ｂから距離Ｌ７の位置に設けられる。距離Ｌ７は、たとえば、５ｍｍに設定される。【０１５０】
なお、導体板３２〜３５の各々は、図２２に示す導体板３１と同じ形状および同じ寸法を有する。【０１５１】
図２３は、図２１に示す電気素子３００の他方の導体板３１〜３５と陰極電極９０との接続方法を説明するための概念図である。図２３を参照して、陰極電極９０は、幅方向ＤＲ１に帯状に配置される。そして、５枚の導体板３１〜３５の５個の引出部３１１は、陰極電極９０に接続される。【０１５２】
導体板１１〜１４は、図５に示す態様で陽極電極３０，４０に接続され、導体板３１〜３５は、図２３に示す態様で陰極電極９０に接続される。その結果、導体板３１／誘電体層２／導体板１１、導体板１１／誘電体層３／導体板３２、導体板３２／誘電体層４／導体板１２、導体板１２／誘電体層５／導体板３３、導体板３３／誘電体層６／導体板１３、導体板１３／誘電体層７／導体板３４、導体板３４／誘電体層８／導体板１４、および導体板１４／誘電体層９／導体板３５は、陽極電極３０，４０と陰極電極９０との間に並列に接続された８個のコンデンサを構成する。【０１５３】
この場合、各コンデンサの電極面積は、隣接する２つの導体板の重複部分の面積に等しい。【０１５４】
なお、電気素子３００は、図１に示す電気素子１００と同じ方法によって製造される。【０１５５】
図２４は、図２１に示す電気素子３００が配置される基板の斜視図である。図２４を参照して、基板４００は、誘電体４０１と、導体板４０２〜４０４と、ビアホール４０５とを含む。誘電体４０１は、略板状形状からなる。導体板４０２，４０３は、同じ厚みを有し、誘電体４０１の表面４０１Ａに所定の間隔を隔てて配置される。そして、導体板４０２，４０３の各々は、電気素子３００の幅と同じ幅を有する。導体板４０４は、誘電体４０１の裏面４０１Ｂに配置される。【０１５６】
ビアホール４０５は、導体板４０２と導体板４０３との略中間部に配置される。そして、ビアホール４０５は、誘電体４０１を貫通し、一方端が導体板４０４に接続されるとともに、他方端の端面が導体板４０２，４０３の表面４０２Ａ，４０３Ａに略一致するように他方端が誘電体４０１の表面４０１Ａから突出している。【０１５７】
図２５は、図２１に示す電気素子３００が基板４００上に配置された状態を示す概念図である。電気素子３００は、基板４００上に配置される。この場合、陽極電極３０は、導体板４０２に接続され、陽極電極４０は、導体板４０３に接続され、陰極電極９０は、ビアホール４０５を介して導体板４０４に接続される。【０１５８】
上述したように、導体板４０２は、電気素子３００の幅に等しい幅を有するため、陽極電極３０が導体板４０２に接続されることによって、電気素子３００を構成する４枚の導体板１１〜１４の４個の引出部１１１と導体板４０２との距離は、等しい距離（＝陽極電極３０の厚み）に設定される。また、導体板４０３は、電気素子３００の幅に等しい幅を有するため、陽極電極４０が導体板４０３に接続されることによって、電気素子３００を構成する４枚の導体板１１〜１４の４個の引出部１１２と導体板４０３との距離は、等しい距離（＝陽極電極４０の厚み）に設定される。【０１５９】
電気素子３００が基板４００上に実装される場合、導体板４０２は、電源（図示せず）に接続され、導体板４０３は、電気負荷（図示せず）に接続される。その結果、電源から電気素子３００に供給された電流Ｉは、導体板４０２から陽極電極３０を介して電気素子３００の導体板１１〜１４に流れ、導体板１１〜１４を長さ方向ＤＲ２に流れる。そして、電流Ｉは、陽極電極４０を介して導体板４０３に流れ、電気負荷に供給される。【０１６０】
そうすると、４枚の導体板１１〜１４の４個の引出部１１１と導体板４０２との距離は、等しいので、電源から供給された電流Ｉは、同じ抵抗で導体板４０２から４枚の導体板１１〜１４へ供給される。そして、４枚の導体板１１〜１４は、陽極電極３０，４０間に並列に接続されているので、４枚の導体板１１〜１４には、等しい電流（＝Ｉ／４）が流れる。したがって、１枚の導体板１１に流れる電流を決めれば、４枚の導体板１１〜１４全体に流れる電流は、１枚の導体板１１に流れる電流を積層数倍（＝４倍）にした電流になり、電気素子３００全体に流れる電流を容易に決定できる。【０１６１】
電気素子３００が基板４００上に実装される場合、導体板４０２，４０３は、信号線として機能するため、電気素子３００において、４枚の導体板１１〜１４および５枚の導体板３１〜３５は、陽極電極３０が接続される信号線（＝導体板４０２）および陽極電極４０が接続される信号線（＝導体板４０３）の幅方向（＝ＤＲ１）に積層されていることになる。【０１６２】
また、電気素子３００において、４枚の導体板１１〜１４および５枚の導体板３１〜３５は、基板４００の法線方向が導体板１１〜１４，３１〜３５の幅方向と略平行になるように積層されていることになる。【０１６３】
さらに、電気素子３００において、４枚の導体板１１〜１４と陽極電極３０との４個の接続部分（＝４個の引出部１１１）は、基板４００の面内方向に配列され、４枚の導体板１１〜１４と陽極電極４０との４個の接続部分（＝４個の引出部１１２）は、基板４００の面内方向に配列されていることになる。【０１６４】
図２６は、実施の形態２による他の電気素子の構成を示す斜視図である。実施の形態２による電気素子は、図２６に示す電気素子３５０であってもよい。図２６を参照して、電気素子３５０は、図２１に示す電気素子３００の導体板３１〜３５を導体板４１〜４５に代え、陰極電極９０を陰極電極３６０に代えたものであり、その他は、電気素子３００と同じである。【０１６５】
導体板４１は、誘電体層１，２間に配置され、導体板４２は、誘電体層３，４間に配置され、導体板４３は、誘電体層５，６間に配置される。また、導体板４４は、誘電体層７，８間に配置され、導体板４５は、誘電体層９，１０間に配置される。その結果、導体板１１〜１４，４１〜４５は、電気素子３５０の幅方向ＤＲ１において交互に積層される。【０１６６】
陰極電極３６０は、陽極電極３０と陽極電極４０との間において、電気素子３５０の底面３５０Ａ、側面３５０Ｂ，３５０Ｃおよび上面３５０Ｄに配置され、導体板４１〜４５に接続される。【０１６７】
図２７は、図２６に示す導体板４１の斜視図である。図２７を参照して、導体板４１は、略平板形状からなり、長さＬ４および幅Ｗ２を有する。そして、導体板４１は、たとえば、１０μｍ〜２０μｍの範囲の厚みを有し、Ｎｉからなる。【０１６８】
導体板４１は、引出部４１１，４１２を有する。引出部４１１は、導体板４１の幅方向ＤＲ１における一方端側において、長さ方向ＤＲ２の両端４１ａ，４１ｂから距離Ｌ７の位置に配置され、引出部４１２は、導体板４１の幅方向ＤＲ１における他方端側において、長さ方向ＤＲ２の両端４１ａ，４１ｂから距離Ｌ７の位置に配置される。そして、引出部４１１，４１２の各々は、長さＬ２および幅Ｗ３を有する。この場合、距離Ｌ７は、たとえば、５ｍｍに設定される。【０１６９】
なお、導体板４２〜４５の各々は、図２７に示す導体板４１と同じ形状および同じ寸法を有し、導体板４１と同じ材料からなる。【０１７０】
図２８は、図２６に示す線ＸＸＶＩＩＩ−ＸＸＶＩＩＩ間における電気素子３５０の断面図である。図２８を参照して、陰極電極３６０は、電極３６１〜３６４からなる。電極３６１は、電気素子３５０の底面３５０Ａに配置され、電極３６２は、電気素子３５０の側面３５０Ｂに配置され、電極３６３は、電気素子３５０の側面３５０Ｃに配置され、電極３６４は、電気素子３５０の上面３５０Ｄに配置される。【０１７１】
そして、電極３６１は、電気素子３５０の幅方向ＤＲ１に垂直な垂直方向ＤＲ３における導体板４１〜４５の一方端に接続され、電極３６４は、垂直方向ＤＲ３における導体板４１〜４５の他方端に接続される。また、電極３６１〜３６４は、導体板１１〜１４とは接続されない。【０１７２】
このように、陰極電極３６０は、電気素子３５０の底面３５０Ａおよび上面３５０Ｄにおいて導体板４１〜４５に接続される。【０１７３】
電気素子３５０の他の部分は、電気素子３００と同じである。【０１７４】
図２９は、インピーダンスと周波数との関係を示す図である。また、図３０は、インピーダンスと周波数との他の関係を示す図である。図２９および図３０において、縦軸は、インピーダンスを表し、横軸は、周波数を表す。曲線ｋ１は、従来の電気素子におけるインピーダンスと周波数との関係を示す。曲線ｋ２は、図２１に示す電気素子３００におけるインピーダンスと周波数との関係を示す。曲線ｋ３は、図２６に示す電気素子３５０におけるインピーダンスと周波数との関係を示す。【０１７５】
なお、従来の電気素子とは、２つの陽極電極に接続された導体板と、１つの陰極電極に接続された導体板とが基板の法線方向に積層された構造からなる電気素子である。【０１７６】
３×１０６［Ｈｚ］以上の周波数領域において、電気素子３００のインピーダンスは、従来の電気素子のインピーダンスよりも低い（曲線ｋ１，ｋ２参照）。上述したように、電気素子３００においては、導体板４０２と４枚の導体板１１〜１４との距離は、略等しく、導体板４０３と４枚の導体板１１〜１４との距離も、略等しい。また、ビアホール４０５と５枚の導体板３１〜３５との距離も、略等しい。【０１７７】
一方、従来の電気素子においては、陽極電極に接続された導体板と陰極電極に接続された導体板とが基板の法線方向に積層されているため、従来の電気素子を基板４００上に配置した場合、導体板４０２，４０３と陽極電極に接続された複数の導体板との距離は、等しくなく、ビアホール４０５と陰極電極に接続された複数の導体板との距離も、等しくない。その結果、電流は、基板から遠ざかる方向へ流れた後に基板４００から遠い側に配置された導体板に供給されるので、基板４００から遠い側に配置された導体板に電流を供給するときのインピーダンスは、基板４００に近い側に配置された導体板に電流を供給する場合のインピーダンスよりも大きくなる。【０１７８】
したがって、電気素子３００のインピーダンスは、従来の電気素子のインピーダンスよりも低くなる。【０１７９】
また、約１×１０７［Ｈｚ］以上の周波数領域において、電気素子３５０のインピーダンスは、電気素子３００のインピーダンスよりも低い（曲線ｋ２，ｋ３参照）。電気素子３００においては、導体板３１〜３５は、電気素子３００の底面３００Ａにおいてのみ陰極電極９０に接続されるが、電気素子３５０においては、導体板４１〜４５は、電気素子３５０の底面３５０Ａおよび上面３５０Ｄにおいて陰極電極３６０に接続される。したがって、導体板４１〜４５と陰極電極３６０との間のインピーダンスは、導体板３１〜３５と陰極電極９０との間のインピーダンスよりも小さい。その結果、電気素子３５０のインピーダンスは、電気素子３００のインピーダンスよりも小さくなる。【０１８０】
このように、導体板１１〜１４，３１〜３５を電気素子３００の幅方向ＤＲ１に積層することによって、高周波領域における電気素子３００のインピーダンスが従来の電気素子のインピーダンスよりも低下する。また、電気素子３５０の底面３５０Ａおよび上面３５０Ｄにおいて導体板４１〜４５と陰極電極３６０とを接続することによって、電気素子３５０のインピーダンスは、電気素子３００のインピーダンスよりも低下する。【０１８１】
したがって、実施の形態２による電気素子３００，３５０は、高周波領域においてインピーダンスを低減させる電気素子として有効である。【０１８２】
なお、電気素子３５０は、電極３６１，３６３，３６４からなる陰極電極、または電極３６１，３６２，３６４からなる陰極電極を備えていてもよい。つまり、電気素子３５０の陰極電極は、電気素子３５０の周囲に配置されていなくてもよく、導体板４１〜４５の２つの引出部４１１，４１２に接続される２つの電極と、その２つの電極を相互に接続する電極とを備えていればよい。【０１８３】
その他は、実施の形態１と同じである。【０１８４】
［実施の形態３］
図３１は、実施の形態３による電気素子の構成を示す斜視図である。図３１を参照して、実施の形態３による電気素子５００は、積層体５１０と、陽極電極５２０，５３０と、陰極電極５４０，５５０とを備える。【０１８５】
陽極電極５２０は、立体形状を有し、積層体５１０の一方の端面に設けられる。陽極電極５３０は、立体形状を有し、陽極電極５２０に対向するように積層体５１０の他方の端面に設けられる。陰極電極５４０は、陽極電極５２０側で積層体５１０の底面５１０Ａと側面５１０Ｂ，５１０Ｃの一部とに設けられる。陰極電極５５０は、陽極電極５３０側で積層体５１０の底面５１０Ａと側面５１０Ｂ，５１０Ｃの一部とに設けられる。【０１８６】
図３２は、図３１に示す積層体５１０の斜視図である。図３２を参照して、積層体５１０は、誘電体層５５１〜５６０と、導体板５６１〜５６４，５７１〜５７５とを含む。誘電体層５５１〜５６０は、電気素子５００の幅方向ＤＲ１および長さ方向ＤＲ２に垂直な垂直方向ＤＲ３に積層される。【０１８７】
導体板５６１〜５６４，５７１〜５７５の各々は、平板形状からなる。そして、導体板５６１〜５６４は、それぞれ、誘電体層５５２，５５３間、誘電体層５５４，５５５間、誘電体層５５６，５５７間および誘電体層５５８，５５９間に配置される。導体板５７１〜５７５は、それぞれ、誘電体層５５１，５５２間、誘電体層５５３，５５４間、誘電体層５５５，５５６間、誘電体層５５７，５５８間および誘電体層５５９，５６０間に配置される。その結果、誘電体層５５１〜５５９は、それぞれ、導体板５７１，５６１，５７２，５６２，５７３，５６３，５７４，５６４，５７５を支持する。【０１８８】
導体板５６１〜５６４は、長さ方向ＤＲ２において、その一方端が陽極電極５２０に接続され、他方端が陽極電極５３０に接続される。導体板５７１〜５７５は、長さ方向ＤＲ２における陽極電極５２０側で陰極電極５４０に接続され、長さ方向ＤＲ２における陽極電極５３０側で陰極電極５５０に接続される。【０１８９】
誘電体層５５１〜５６０の各々は、たとえば、ＢａＴｉＯ３からなり、陽極電極５２０，５３０、導体板５６１〜５６４，５７１〜５７５および陰極電極５４０，５５０の各々は、たとえば、Ｎｉからなる。【０１９０】
図３３は、図３２に示す誘電体層５５１，５５２および導体板５７１，５６１の寸法を説明するための図である。図３３を参照して、誘電体層５５１，５５２の各々は、導体板５６１，５７１を電流が流れる長さ方向ＤＲ２に長さＬ１を有し、方向ＤＲ２に直交する幅方向ＤＲ１に幅Ｗ１を有し、厚さＤ１を有する。厚さＤ１は、たとえば、２５μｍに設定される。【０１９１】
導体板５６１は、長さＬ１および幅Ｗ６を有する。そして、幅Ｗ６は、たとえば、１１ｍｍに設定される。また、導体板５７１は、長さＬ８および幅Ｗ１を有する。そして、長さＬ８は、たとえば、１３ｍｍに設定される。さらに、導体板５６１，５７１の各々は、たとえば、１０μｍ〜２０μｍの範囲の膜厚を有する。【０１９２】
誘電体層５５３〜５６０の各々は、図３３に示す誘電体層５５１，５５２と同じ長さＬ１、同じ幅Ｗ１および同じ厚さＤ１を有する。また、導体板５６２〜５６４の各々は、図３３に示す導体板５６１と同じ長さＬ１、同じ幅Ｗ６および同じ膜厚を有し、導体板５７２〜５７５の各々は、図３３に示す導体板５７１と同じ長さＬ８、同じ幅Ｗ１および同じ膜厚を有する。【０１９３】
このように、導体板５６１〜５６４は、導体板５７１〜５７５と異なる長さおよび異なる幅を有する。これは、導体板５６１〜５６４に接続される陽極電極５２０，５３０が導体板５７１〜５７５に接続される陰極電極５４０，５５０と短絡するのを防止するためである。【０１９４】
図３４は、隣接する２つの導体板の平面図である。図３４を参照して、導体板５６１および導体板５７１を１つの平面へ投影すると、導体板５６１および５７１は、重複部分５７０を有する。そして、導体板５６１と導体板５７１との重複部分５７０は、長さＬ８および幅Ｗ６を有する。導体板５６１と導体板５７２との重複部分、導体板５６２と導体板５７２との重複部分、導体板５６２と導体板５７３との重複部分、導体板５６３と導体板５７３との重複部分、導体板５６４と導体板５７４との重複部分および導体板５６４と導体板５７５との重複部分も、重複部分５７０と同じ長さＬ８および同じ幅Ｗ６を有する。【０１９５】
図３５および図３６は、それぞれ、図３１に示す電気素子５００の第１および第２の断面図である。図３５は、図３１に示す線ＸＸＸＶ−ＸＸＸＶ間における電気素子５００の断面図を示し、図３６は、図３１に示す線ＸＸＸＶＩ−ＸＸＸＶＩ間における電気素子５００の断面図を示す。【０１９６】
図３５を参照して、導体板５７１は、誘電体層５５１，５５２の両方に接し、導体板５６１は、誘電体層５５２，５５３の両方に接する。また、導体板５７２は、誘電体層５５３，５５４の両方に接し、以下、同様にして、導体板５７５は、誘電体層５５９，５６０の両方に接する。【０１９７】
陰極電極５４０は、導体板５６１〜５６４には接続されず、導体板５７１〜５７５に接続される（図３５参照）。【０１９８】
陽極電極５２０，５３０は、導体板５７１〜５７５に接続されず、導体板５６１〜５６４に接続される（図３６参照）。【０１９９】
その結果、導体板５７１／誘電体層５５２／導体板５６１、導体板５６１／誘電体層５５３／導体板５７２、導体板５７２／誘電体層５５４／導体板５６２、導体板５６２／誘電体層５５５／導体板５７３、導体板５７３／誘電体層５５６／導体板５６３、導体板５６３／誘電体層５５７／導体板５７４、導体板５７４／誘電体層５５８／導体板５６４、および導体板５６４／誘電体層５５９／導体板５７５は、陽極電極５２０，５３０と陰極電極５４０，５５０との間に並列に接続された８個のコンデンサを構成する。【０２００】
この場合、各コンデンサの電極面積は、隣接する２つの導体板の重複部分５７０（図３４参照）の面積に等しい。【０２０１】
電気素子５００は、基板２００に実装される。この場合、陽極電極５２０は、基板２００の導体板２０２に接続され、陽極電極５３０は、基板２００の導体板２０３に接続され、陰極電極５４０は、ビアホール２０６を介して導体板２０４に接続され、陰極電極５５０は、ビアホール２０７を介して導体板２０５に接続される。【０２０２】
上述したように、陽極電極５２０は、立体形状からなるため、陽極電極５２０が導体板２０２に接続されたときの各導体板５６１〜５６４と導体板２０２との間の抵抗は、４枚の導体板５６１〜５６４間で略等しい。また、導体板２０３は、立体形状からなるため、陽極電極５２０が導体板２０３に接続されたときの各導体板５６１〜５６４と導体板２０３との間の抵抗は、４枚の導体板５６１〜５６４間で略等しい。【０２０３】
すなわち、導体板２０２と導体板５６１〜５６４との距離は、４枚の導体板５６１〜５６４間で異なり、導体板２０３と導体板５６１〜５６４との距離は、４枚の導体板５６１〜５６４間で異なるが、陽極電極５２０，５３０が立体形状からなるため、導体板５０２，５０３と４枚の導体板５６１〜５６４との距離の相違が抵抗に反映されることがない。【０２０４】
電気素子５００が基板２００上に実装される場合、導体板２０２は、電源（図示せず）に接続され、導体板２０３は、電気負荷（図示せず）に接続される。その結果、電源から電気素子５００に供給された電流Ｉは、導体板２０２から陽極電極５２０を介して電気素子５００の導体板５６１〜５６４に流れ、導体板５６１〜５６４を長さ方向ＤＲ２に流れる。そして、電流Ｉは、陽極電極５３０を介して導体板２０３に流れ、電気負荷に供給される。【０２０５】
また、電気負荷からのリターン電流Ｉｒは、導体板２０５に供給され、ビアホール２０７および陰極電極５５０を介して電気素子５００の導体板５７１〜５７５を流れ、陰極電極５４０およびビアホール２０６を介して導体板２０４に流れ、電源へ戻る。【０２０６】
そうすると、４枚の導体板５６１〜５６４の４個の一方端と導体板２０２との間の抵抗は、相互に等しいので、電源から供給された電流Ｉは、同じ抵抗で導体板２０２から４枚の導体板５６１〜５６４へ供給される。そして、４枚の導体板５６１〜５６４は、陽極電極５２０，５３０間に並列に接続されているので、４枚の導体板５６１〜５６４には、等しい電流（＝Ｉ／４）が流れる。したがって、１枚の導体板５６１に流れる電流を決めれば、４枚の導体板５６１〜５６４全体に流れる電流は、１枚の導体板５６１に流れる電流を積層数倍（＝４倍）にした電流になり、電気素子５００全体に流れる電流を容易に決定できる。【０２０７】
このように、誘電体層５５１〜５６０、導体板５６１〜５６４，５７１〜５７５が基板２００の法線方向（＝垂直方向ＤＲ３）に積層された電気素子５００においても、立体形状からなる陽極電極５２０，５３０を用いることによって、１枚の導体板５６１に流れる電流を決めれば、４枚の導体板５６１〜５６４全体に流れる電流は、１枚の導体板５６１に流れる電流を積層数倍（＝４倍）にした電流になり、電気素子５００全体に流れる電流を容易に決定できる。【０２０８】
なお、上記においては、陽極電極５２０，５３０に接続される導体板の枚数は、４枚（導体板５６１〜５６４）であり、陰極電極５４０，５５０に接続される導体板の枚数は、５枚（導体板５７１〜５７５）であると説明したが、この発明においては、これに限らず、電気素子５００は、陽極電極５２０，５３０に接続されるｎ（ｎは正の整数）個の導体板と、陰極電極５４０，５５０に接続されるｍ（ｍは正の整数）個の導体板とを備えていればよい。この場合、電気素子５００は、ｊ（ｊ＝ｍ＋ｎ）個の誘電体層を備える。陽極電極５２０，５３０に接続される導体板と、陰極電極５４０，５５０に接続される導体板とを少なくとも１枚備えていれば、磁気的干渉を生じさせることができ、実効インダクタンスを小さくできるからである。【０２０９】
［実施の形態４］
図３７は、実施の形態４による電気素子の構成を示す斜視図である。図３７を参照して、実施の形態４による電気素子６００は、図１に示す電気素子１００の導体板２１〜２５を導体板６１〜６５に代え、陰極電極５０，６０を陰極電極６１０に代えたものであり、その他は、電気素子１００と同じである。【０２１０】
導体板６１〜６５は、それぞれ、誘電体層１，２間、誘電体層３，４間、誘電体層５，６間、誘電体層７，８間、および誘電体層９，１０間に配置される。その結果、導体板１１〜１４，６１〜６５は、電気素子６００の幅方向ＤＲ１に交互に積層される。【０２１１】
陰極電極６１０は、電気素子６００の長さ方向ＤＲ２における陽極電極３０と陽極電極４０との間において電気素子６００の底面６００Ａと側面６００Ｂ，６００Ｃの一部とに帯状に形成され、導体板６１〜６５に接続される。導体板６１〜６５および陰極電極６１０の各々は、たとえば、Ｎｉからなる。【０２１２】
図３８は、図３７に示す誘電体層１および導体板６１の寸法を説明するための図である。図３８を参照して、導体板６１は、略平板形状からなり、長さＬ４および幅Ｗ２を有する。そして、導体板６１は、たとえば、１０μｍ〜２０μｍの範囲の厚みを有する。【０２１３】
導体板６１は、引出部６１１を有する。引出部６１１は、電気素子６００の幅方向ＤＲ１における導体板６１の一方端側において導体板６１の長さ方向ＤＲ２における両端６１ａ，６１ｂから距離Ｌ９の位置に配置され、長さＬ１０および幅Ｗ３を有する。距離Ｌ９は、たとえば、１．０ｍｍに設定される。その結果、長さＬ１０は、１１．０ｍｍになる。【０２１４】
このように、導体板６１は、幅方向ＤＲ１において、導体板６１の一方端側に配置された引出部６１１を含む。【０２１５】
なお、導体板６２〜６５の各々は、図３８に示す導体板６１と同じ形状および同じ寸法を有する。【０２１６】
図３９は、図３７に示す２つの導体板１１，６１の平面図である。図３９を参照して、導体板１１は、長さＬ１を有し、引出部１１１，１１２の各々は、長さＬ２を有し、導体板６１は、長さＬ４を有し、引出部６１１は、導体板６１の両端から距離Ｌ９の位置に配置される結果、導体板１１の引出部１１１と導体板６１の引出部６１１との距離および導体板１１の引出部１１２と導体板６１の引出部６１１との距離は、Ｌ１１に設定される。そして、距離Ｌ１１は、（２×Ｌ１１）／Ｌ１＜０．１８を満たすように決定され、たとえば、１．０ｍｍに設定される。【０２１７】
なお、陰極電極６１０は、図２３に示す陰極電極９０と５個の導体板３１〜３５の５個の引出部３１１との接続態様と同じ接続態様で５個の導体板６１〜６５の５個の引出部６１１に接続される。また、導体板１１〜１４は、図５に示す態様で陽極電極３０，４０に接続されている。したがって、導体板６１／誘電体層２／導体板１１、導体板１１／誘電体層３／導体板６２、導体板６２／誘電体層４／導体板１２、導体板１２／誘電体層５／導体板６３、導体板６３／誘電体層６／導体板１３、導体板１３／誘電体層７／導体板６４、導体板６４／誘電体層８／導体板１４、および導体板１４／誘電体層９／導体板６５は、陽極電極３０，４０と陰極電極６１０との間に並列に接続された８個のコンデンサを構成する。この場合、各コンデンサの電極面積は、隣接する２つの導体板の重複部分の面積に等しい。【０２１８】
図４０は、図３７に示す電気素子６００における１個のコンデンサの構成を示す斜視図である。図４０を参照して、電気素子６００においては、誘電体層２および導体板１１，６１は、１個のコンデンサを構成する。【０２１９】
陽極電極３０は、導体板１１の引出部１１１に接続され、陽極電極４０は、導体板１１の引出部１１２（図４０では図示せず）に接続される。また、陰極電極６１０は、導体板６１の引出部６１１に接続される。【０２２０】
そして、陽極電極３０は、導体板１１の引出部１１１の長さＬ２と同じ幅を有し、陽極電極４０は、導体板１１の引出部１１２（図４０では図示せず）の長さＬ２と同じ幅を有する。また、陰極電極６１０は、導体板６１の引出部６１１の長さＬ１０と同じ幅を有する。その結果、陽極電極３０と陰極電極６１０との距離および陽極電極４０と陰極電極６１０との距離は、引出部１１１，１１２と引出部６１１との距離Ｌ１１に等しい。【０２２１】
図４１は、従来の電気素子の構成を示す斜視図である。図４１を参照して、従来の電気素子７００は、積層体７１０と、陽極電極７２０，７３０と、陰極電極７４０とを備える。【０２２２】
積層体７１０は、略直方体形状からなる。陽極電極７２０は、電気素子７００の長さ方向ＤＲ２において積層体７１０の一方端に配置される。陽極電極７３０は、電気素子７００の長さ方向ＤＲ２において積層体７１０の他方端に配置される。より具体的には、陽極電極７２０は、積層体７１０の底面７１０Ａ、側面７１０Ｂ，７１０Ｃおよび上面７１０Ｄの一部と、側面７１０Ｅの全面とに配置される。また、陽極電極７３０は、積層体７１０の底面７１０Ａ、側面７１０Ｂ，７１０Ｃおよび上面７１０Ｄの一部と、側面７１０Ｆの全面とに配置される。その結果、陽極電極７２０，７３０は、長さ方向ＤＲ２において対向して積層体７１０に配置される。【０２２３】
陰極電極７４０は、長さ方向ＤＲ２において陽極電極７２０と陽極電極７３０との間に配置され、電極７４１，７４２からなる。電極７４１は、幅方向ＤＲ１における積層体７１０の一方端側において、積層体７１０の底面７１０Ａ、側面７１０Ｃおよび上面７１０Ｄの一部に帯状に形成される。また、電極７４２は、幅方向ＤＲ１における積層体７１０の他方端側において、積層体７１０の底面７１０Ａ、側面７１０Ｂおよび上面７１０Ｄの一部に帯状に形成される。その結果、電極７４１，７４２は、幅方向ＤＲ１において対向して積層体７１０に配置される。【０２２４】
図４２は、図４１に示す積層体７１０の構成を示す斜視図である。図４２を参照して、積層体７１０は、誘電体層７５１〜７６０と、導体板７６１〜７６４，７７１〜７７５とを含む。【０２２５】
誘電体層７５１〜７６０および導体板７６１〜７６４，７７１〜７７５は、幅方向ＤＲ１および長さ方向ＤＲ２に垂直な垂直方向ＤＲ３に積層される。【０２２６】
誘電体層７５１〜７６０は、図１に示す誘電体層１〜１０と同じ材料からなり、誘電体層１〜１０と同じ形状および同じ寸法を有する。導体板７６１〜７６４，７７１〜７７５は、導体板１１〜１４，２１〜２５と同じ材料からなり、導体板１１〜１４，２１〜２５と同じ厚みを有する。【０２２７】
導体板７６１〜７６４は、それぞれ、誘電体層７５２，７５３間、誘電体層７５４，７５５間、誘電体層７５６，７５７間および誘電体層７５８，７５９間に配置される。導体板７７１〜７７５は、それぞれ、誘電体層７５１，７５２間、誘電体層７５３，７５４間、誘電体層７５５，７５６間、誘電体層７５７，７５８間および誘電体層７５９，７６０間に配置される。その結果、誘電体層７５１〜７５９は、それぞれ、導体板７７１，７６１，７７２，７６２，７７３，７６３，７７４，７６４，７７５を支持する。また、導体板７６１〜７６４および導体板７７１〜７７５は、垂直方向ＤＲ３に交互に積層される。【０２２８】
図４３は、図４２に示す隣接する２つの導体板７６１，７７１の平面図である。図４３を参照して、導体板７６１は、略長方形状からなり、長さＬ１および幅Ｗ２を有する。つまり、導体板７６１は、長さ方向ＤＲ２の全領域において幅が一定である形状からなる。【０２２９】
陽極電極７２０は、電極７２１〜７２３からなり、陽極電極７３０は、電極７３１〜７３３からなる。そして、陽極電極７２０のうち、電極７２１のみが導体板７６１の長さ方向ＤＲ２における一方の端面７６１Ａに接続され、電極７２２，７２３は、導体板７６１に接続されない。同様に、陽極電極７３０のうち、電極７３１のみが導体板７６１の長さ方向ＤＲ２における他方の端面７６１Ｂに接続され、電極７３２，７３３は、導体板７６１に接続されない。【０２３０】
このように、陽極電極７２０，７３０は、導体板７６１の長さ方向ＤＲ２における端面７６１Ａ，７６１Ｂのみに接続される。【０２３１】
導体板７７１は、平板形状からなり、長さＬ４および幅Ｗ２を有する。そして、導体板７７１は、引出部７７１Ａ，７７１Ｂを含む。引出部７７１Ａは、幅方向ＤＲ１における導体板７７１の一方端側において、長さ方向の両端７７１ａ，７７１ｂから距離Ｌ１２の位置に配置される。また、引出部７７１Ｂは、幅方向ＤＲ１における導体板７７１の他方端側において、長さ方向の両端７７１ａ，７７１ｂから距離Ｌ１２の位置に配置される。そして、引出部７７１Ａ，７７１Ｂの各々は、長さＬ２を有する。この場合、長さＬ１２は、１．０ｍｍに設定される。【０２３２】
陰極電極７４０の電極７４１は、導体板７７１の引出部７７１Ａに接続され、陰極電極７４０の電極７４２は、導体板７７１の引出部７７１Ｂに接続される。【０２３３】
導体板７６１，７７１が上述した寸法を有する結果、導体板７６１と陽極電極７２０との接続部（＝端面７６１Ａ）と導体板７７１の引出部７７１Ａ，７７１Ｂとの距離および導体板７６１と陽極電極７３０との接続部（＝端面７６１Ｂ）と導体板７７１の引出部７７１Ａ，７７１Ｂとの距離は、相互に等しく、Ｌ１３に設定される。また、陽極電極７２０，７３０と陰極電極７４０との距離は、距離Ｌ１３よりも短い距離Ｌ１４に設定される。この場合、距離Ｌ１４は、距離Ｌ１３から長さ方向ＤＲ２における陽極電極７２０，７３０の長さを減算した値になる。【０２３４】
なお、図４２に示す導体板７６２〜７６４の各々は、図４３に示す導体板７６１と同じ形状からなり、導体板７６１と同じ寸法を有する。また、図４２に示す導体板７７２〜７７５の各々は、図４３に示す導体板７７１と同じ形状からなり、導体板７７１と同じ寸法を有する。【０２３５】
表１は、従来の電気素子７００の長さＬ、陽極電極７２０，７３０の長さＬ−Ａｎｏｄｅ、陰極電極７４０の長さＬ−Ｃａｔｈｏｄｅ、電気素子７００の幅Ｗ、クリアランス、幅Ｗに対する長さＬの比Ｌ／Ｗ、全長Ｌに対する陰極電極７４０の長さの割合および全長Ｌに対するクリアランスの割合を示す。【０２３６】
【表１】
2008044376.tif 000008
【０２３７】
なお、クリアランスとは、図４３に示す距離Ｌ１４、すなわち、陽極電極７２０，７３０と陰極電極７４０との距離Ｌ１４である。また、全長Ｌに対するクリアランスの割合とは、全長Ｌから陽極電極７２０の長さＬ−Ａｎｏｄｅ、陽極電極７３０の長さＬ−Ａｎｏｄｅおよび陰極電極７４０の長さＬ−Ｃａｔｈｏｄｅを減算した減算結果（＝Ｌ１４×２）を全長Ｌで除算したものである。【０２３８】
表１に示す結果から、従来の電気素子７００においては、全長Ｌに対するクリアランスの割合は、０．１８以上である。【０２３９】
表２は、この発明による電気素子６００の長さＬ、陽極電極３０，４０の長さＬ−Ａｎｏｄｅ、陰極電極６１０の長さＬ−Ｃａｔｈｏｄｅ、電気素子６００の幅Ｗ、クリアランス、幅Ｗに対する長さＬの比Ｌ／Ｗ、全長Ｌに対する陰極電極６１０の長さの割合および全長Ｌに対するクリアランスの割合を示す。【０２４０】
【表２】
2008044376.tif 000009
【０２４１】
なお、表２において、全長に対するクリアランスとは、全長Ｌ１から陽極電極３０の長さＬ２、陽極電極４０の長さＬ２および陰極電極６１０の長さＬ１０を減算した減算結果（＝Ｌ１１×２）を全長Ｌ１で除算したものである。【０２４２】
表２に示す結果から、この発明による電気素子６００においては、全長に対するクリアランスの割合は、０．１８よりも小さい。【０２４３】
したがって、従来の電気素子７００における全長に対するクリアランスの割合である０．１８を基準値とした場合、この発明による電気素子６００における全長に対するクリアランスの割合は、基準値よりも小さい。【０２４４】
図４４は、電気素子のインピーダンスと周波数との関係を示す図である。図４４において、縦軸は、インピーダンスを表し、横軸は、周波数を表す。また、曲線ｋ４は、この発明による電気素子６００のインピーダンスと周波数との関係を示し、曲線ｋ５は、従来の電気素子７００のインピーダンスと周波数との関係を示す。なお、周波数は、電気素子のインダクタンスがインピーダンスに対して支配的になる１０７〜１０９Ｈｚの範囲からなる。【０２４５】
曲線ｋ４，ｋ５によって示されるインピーダンスと周波数との関係を有する電気素子をそれぞれ電気素子Ａ，Ｂとすると、電気素子Ａにおける全長に対するクリアランスの割合は、０．１７であり、電気素子Ｂにおける全長に対するクリアランスの割合は、０．４３である。また、電気素子Ａ，Ｂは、全て、同じ長さおよび幅を有する。さらに、電気素子Ａ，Ｂにおける陰極電極の長さは、それぞれ、２．８ｍｍ，１．６ｍｍであり、電気素子Ａ，Ｂにおける陽極電極の長さは、全て、０．５ｍｍである。【０２４６】
図４４において、１×１０７［Ｈｚ］以上の周波数領域におけるインピーダンスは、主に電気素子のインダクタンスによって決定される。【０２４７】
図４４を参照して、この発明による電気素子６００における１×１０７［Ｈｚ］以上の周波数領域のインピーダンス（曲線ｋ４）は、従来の電気素子７００における１×１０７［Ｈｚ］以上の周波数領域のインピーダンス（曲線ｋ５）よりも低い。すなわち、この発明による電気素子６００のインダクタンスは、従来の電気素子７００のインダクタンスよりも小さい。【０２４８】
上述したように、この発明による電気素子６００の全長に対するクリアランスの割合は、従来の電気素子７００の全長に対するクリアランスの割合よりも小さいので、全長に対するクリアランスの割合を基準値（＝０．１８）よりも小さくすることによって、１×１０７［Ｈｚ］以上の周波数領域のインピーダンス（インダクタンス）を従来の電気素子７００のインピーダンス（インダクタンス）よりも小さくできる。【０２４９】
全長に対するクリアランスの割合を小さくすることによって電気素子６００のインダクタンスが電気素子７００のインダクタンスよりも小さくなる理由を説明する。【０２５０】
図４５は、電気素子６００，７００の等価回路である。図４５を参照して、電気回路６００，７００の等価回路は、インダクタンスＬｄ１，Ｌｄ２と、キャパシタンスＣと、インダクタンスＬｄ３とからなる。インダクタンスＬｄ１，Ｌｄ２は、端子ＴＭ１，ＴＭ２間に直列に接続される。キャパシタンスＣは、一方が、直接、接地電位ＧＮＤに接続され、他方がインダクタンスＬｄ３を介して接地電位ＧＮＤに接続される。そして、端子ＴＭ１，ＴＭ２は、それぞれ、陽極電極３０（７２０），４０（７３０）に相当する。【０２５１】
図４０に示したように、電気素子６００においては、誘電体層２および導体板１１，６１が１つのコンデンサを構成する。そして、導体板１１は、引出部１１１，１１２によってそれぞれ陽極電極３０，４０に接続される。また、導体板６１は、引出部６１１によって陰極電極６１０に接続される。さらに、陽極電極３０，４０の長さは、それぞれ、引出部１１１，１１２の長さＬ２に等しく、陰極電極６１０の長さは、引出部６１１の長さＬ１０に等しい。【０２５２】
その結果、電気素子６００においては、陽極電極３０，４０と陰極電極６１０との距離は、導体板１１の引出部１１１，１１２と導体板６１の引出部６１１との距離Ｌ１１に等しくなる。【０２５３】
一方、電気素子７００においては、導体板７６１，７７１および誘電体層７５２が１つのコンデンサを構成する。そして、導体板７６１は、電気素子７００の長さ方向ＤＲ２における１つの端面７６１Ａによって陽極電極７２０に接続され、電気素子７００の長さ方向ＤＲ２における１つの端面７６１Ｂによって陽極電極７３０に接続される。つまり、電気素子７００においては、導体板７６１は、陽極電極７２０の電極７２２，７２３および陽極電極７３０の電極７３２，７３３には接続されない。【０２５４】
また、導体板７７１の引出部７７１Ａは、陰極電極７４０（７４１）に接続され、導体板７７１の引出部７７１Ｂは、陰極電極７４０（７４２）に接続される。そして、引出部７７１Ａ，７７１Ｂの各々は、陰極電極７４０の長さに等しい長さを有する。【０２５５】
その結果、電気素子７００においては、陽極電極７２０，７３０と陰極電極７４０との距離Ｌ１４は、導体板７６１の引出部（導体板７６１の長さ方向ＤＲ１の端面７６１Ａ）と導体板７７１の引出部７７１Ａ，７７１Ｂとの距離Ｌ１３と異なる。そして、距離Ｌ１３は、距離Ｌ１４よりも長い。【０２５６】
再び、図４５を参照して、インダクタンスＬｄ３は、電気素子６００においては導体板１１と導体板６１との間で交流電流が流れる距離Ｌ１１に比例した値になり、電気素子７００においては導体板７６１と導体板７７１との間で交流電流が流れる距離Ｌ１３に比例した値になる。【０２５７】
上述したように、電気素子６００（電気素子Ａ）の全長は、電気素子７００（電気素子Ｂ，Ｃ）の全長と同じであり、電気素子６００（電気素子Ａ）の陰極電極６１０の長さは、電気素子７００（電気素子Ｂ，Ｃ）の陰極電極７４０の長さよりも長いので、距離Ｌ１１は、距離Ｌ１３よりも短くなる。【０２５８】
インダクタンスＬｄ１，Ｌｄ２は、導体板１１，７６１の長さに比例する。導体板１１，７６１の長さは、等しいので、インダクタンスＬｄ１，Ｌｄ２は、電気素子６００，７００間で等しい。【０２５９】
一方、上述したように、距離Ｌ１１は、距離Ｌ１３よりも短いので、電気素子６００におけるインダクタンスＬｄ３は、電気素子７００におけるインダクタンスＬｄ３よりも小さい。その結果、電気素子６００の全体のインダクタンスは、電気素子７００の全体のインダクタンスよりも小さくなる。【０２６０】
このように、全長に対するクリアランスの割合を基準値よりも小さくすることによって電気素子６００のインダクタンスを従来の電気素子７００のインダクタンスよりも小さくできる。【０２６１】
図４６は、実施の形態４による他の電気素子の構成を示す斜視図である。実施の形態４による電気素子は、図４６に示す電気素子８００であってもよい。図４６を参照して、電気素子８００は、図３７に示す電気素子６００の導体板６１〜６５を導体板８１〜８５に代え、陰極電極６１０を陰極電極８１０に代えたものであり、その他は、電気素子６００と同じである。【０２６２】
導体板８１〜８５は、導体板２１〜２５と同じ材料からなり、導体板２１〜２５と同じ厚みを有する。そして、導体板８１〜８５は、それぞれ、誘電体層１，２間、誘電体層３，４間、誘電体層５，６間、誘電体層７，８間および誘電体層９，１０間に配置される。その結果、導体板１１〜１４，８１〜８５は、幅方向ＤＲ１に交互に積層される。【０２６３】
陰極電極８１０は、陽極電極３０と陽極電極４０との間において、電気素子８００の底面８００Ａ、側面８００Ｂ，８００Ｃおよび上面８００Ｄに形成される。つまり、陰極電極８１０は、電気素子８００の周囲を囲むように形成される。【０２６４】
図４７は、図４６に示す誘電体層１および導体板８１の寸法を示す図である。図４７を参照して、導体板８１は、略平板形状からなり、長さＬ４および幅Ｗ２を有する。そして、導体板８１は、引出部８１１，８１２を含む。【０２６５】
引出部８１１は、幅方向ＤＲ１の導体板８１の一方端側において、長さ方向ＤＲ２の導体板８１の両端８１ａ，８１ｂから距離Ｌ９の位置に配置される。また、引出部８１２は、幅方向ＤＲ１の導体板８１の他方端側において、長さ方向ＤＲ２の導体板８１の両端８１ａ，８１ｂから距離Ｌ９の位置に配置される。そして、引出部８１１，８１２の各々は、長さＬ１０および幅Ｗ３を有する。【０２６６】
図４８は、図４６に示す隣接する２つの導体板１１，８１の平面図である。図４８を参照して、導体板１１は、長さＬ１を有するとともに幅方向ＤＲ１に突出した引出部１１１，１１２を含み、導体板１１の引出部１１１，１１２は、長さＬ２を有し、導体板８１は、長さＬ４を有し、導体板８１の引出部８１１，８１２は、導体板８１の両端８１ａ，８１ｂから距離Ｌ９の位置に配置されるので、導体板１１の引出部１１１，１１２と導体板８１の引出部８１１，８１２との距離は、距離Ｌ１１に設定される。そして、電気素子８００においても、距離Ｌ１１は、クリアランスを構成し、全長に対するクリアランスの割合（＝（２×Ｌ１１）／Ｌ１）は、基準値（＝０．１８）よりも小さい値に設定される。【０２６７】
なお、図４６に示す導体板８２〜８５の各々も、図４８に示す導体板８１と同じ形状からなり、導体板８１と同じ寸法を有する。【０２６８】
図４９は、図４６に示す電気素子８００において１個のコンデンサを構成する２個の導体板１１，８１と陽極電極３０，４０および陰極電極８１０との接続状態を示す斜視図である。【０２６９】
図４９を参照して、導体板１１，８１は、１個のコンデンサを構成する。電気素子８００において、導体板１１は、電気素子１００における陽極電極３０，４０との接続状態（図５参照）と同じ接続状態で陽極電極３０，４０と接続される。陰極電極８１０は、導体板８１の引出部８１１，８１２に接続される。このように、電気素子８００においては、陰極電極８１０は、垂直方向ＤＲ３における導体板８１の両端で導体板８１に接続される。【０２７０】
その結果、交流電流が垂直方向ＤＲ３（＝導体板８１の幅方向）における導体板８１の両端を介して陰極電極８１０との間で流れ、導体板８１と陰極電極８１０との間のインピーダンスが電気素子６００に比べ低減される。したがって、電気素子８００のインピーダンスを電気素子６００のインピーダンスよりも小さくできる。【０２７１】
その他は、電気素子６００と同じである。【０２７２】
図５０は、実施の形態４によるさらに他の電気素子の構成を示す斜視図である。実施の形態４による電気素子は、図５０に示す電気素子９００であってもよい。図５０を参照して、電気素子９００は、図４６に示す電気素子８００の陰極電極８１０を陰極電極９１０，９２０，９３０に代えたものであり、その他は、電気素子８００と同じである。【０２７３】
陰極電極９１０は、陽極電極３０と陽極電極４０との間において、電気素子９００の底面９００Ａおよび側面９００Ｂ，９００Ｃの一部に帯状に形成される。陰極電極９２０は、陽極電極３０と陽極電極４０との間において、電気素子９００の上面９００Ｄおよび側面９００Ｂ，９００Ｃの一部に帯状に形成される。陰極電極９３０は、陰極電極９１０を陰極電極９２０に接続する。【０２７４】
このように、電気素子９００は、垂直方向ＤＲ３から電気素子９００を挟み込む陰極電極９１０，９２０と、陰極電極９１０，９２０を相互に接続する陰極電極９３０とを備えるので、電気素子９００においても、交流電流は、垂直方向ＤＲ３（＝導体板８１〜８５の幅方向）における導体板８１〜８５の両端を介して導体板８１〜８５と陰極電極９１０，９２０，９３０との間を流れ、導体板８１〜８５と陰極電極９１０，９２０，９３０との間のインピーダンスが電気素子６００に比べ低減される。したがって、電気素子９００のインピーダンスを電気素子６００のインピーダンスよりも小さくできる。【０２７５】
なお、従来の電気素子７００を導体板７６１〜７６４，７７１〜７７５が幅方向ＤＲ１に積層されるように横に倒し、陰極電極７４０の２つの電極７４１，７４２を相互に接続すれば、電気素子９００になるので、従来の電気素子７００の全長に対するクリアランスの割合を基準値よりも小さく設定するように２つの電極７４１，７４２を形成し直し、その２つの電極７４１，７４２を相互に接続し、導体板７６１，７７２の幅方向が垂直方向ＤＲ３になるように配置して使用される電気素子は、実施の形態４による電気素子９００に含まれる。つまり、直流電源１２０とＣＰＵ１３０との間で使用されていた電気素子７００を取り外し、その取り外した電気素子７００の２つの電極７４１，７４２を全長に対するクリアランスの割合が基準値よりも小さくなるように形成し直し、その２つの電極７４１，７４２を相互に接続したものは、電気素子９００に含まれる。【０２７６】
その他は、電気素子８００と同じである。【０２７７】
図５１は、実施の形態４によるさらに他の電気素子の構成を示す斜視図である。実施の形態４による電気素子は、図５１に示す電気素子１０００であってもよい。図５１を参照して、電気素子１０００は、図１に示す電気素子１００の導体板２１〜２５を導体板１０１〜１０５に代え、陰極電極５０，６０を陰極電極１０１０，１０２０に代えたものであり、その他は、電気素子１００と同じである。【０２７８】
導体板１０１〜１０５は、導体板２１〜２５と同じ材料からなり、導体板２１〜２５と同じ厚みを有する。そして、導体板１０１〜１０５は、それぞれ、誘電体層１，２間、誘電体層３，４間、誘電体層５，６間、誘電体層７，８間、および誘電体層９，１０間に配置される。その結果、導体板１１〜１４，１０１〜１０５は、幅方向ＤＲ１に交互に配置される。【０２７９】
陰極電極１０１０，１０２０は、陰極電極５０，６０と同じように配置され、導体板１０１〜１０５に接続される。【０２８０】
図５２は、図５１に示す誘電体層１および導体板１０１の寸法を説明するための斜視図である。図５２を参照して、導体板１０１は、略平板形状からなり、長さＬ４および幅Ｗ２を有する。そして、導体板１０１は、引出部１０１１，１０１２を含む。引出部１０１１は、幅方向ＤＲ１における導体板１０１の一方端側において、長さ方向ＤＲ２の導体板１０１の一方端１０１ａから距離Ｌ９の位置に配置される。引出部１０１２は、幅方向ＤＲ１において引出部１０１１と同じ側に、長さ方向ＤＲ２の導体板１０１の他方端１０１ｂから距離Ｌ９の位置に配置される。そして、引出部１０１１，１０１２の各々は、長さＬ２および幅Ｗ３を有する。その結果、引出部１０１１と引出部１０１２との間隔は、Ｌ１５に設定される。【０２８１】
なお、導体板１０２〜１０５の各々も、図５２に示す導体板１０１と同じ形状からなり、導体板１０１と同じ寸法を有する。【０２８２】
図５３は、図５１に示す隣接する２つの導体板１１，１０１の平面図である。図５３を参照して、導体板１１，１０１が上述した形状および寸法を有する結果、導体板１１の引出部１１１と導体板１０１の引出部１０１１との距離および導体板１１の引出部１１２と導体板１０１の引出部１０１２との距離は、Ｌ１１に設定される。そして、電気素子１０００においても、全長に対するクリアランスの割合（＝（２×Ｌ１１）／Ｌ１）は、基準値（＝０．１８）よりも小さい値に設定される。したがって、電気素子１０００のインピーダンスを従来の電気素子７００のインピーダンスよりも小さくできる。【０２８３】
その他は、電気素子１００と同じである。【０２８４】
図５４は、実施の形態４によるさらに他の電気素子の構成を示す斜視図である。実施の形態４による電気素子は、図５４に示す電気素子１１００であってもよい。図５４を参照して、電気素子１１００は、図５１に示す電気素子１０００の導体板１０１〜１０５を導体板１１０１〜１１０５に代え、陰極電極１０１０，１０２０を陰極電極１１１０，１１２０に代えたものであり、その他は、電気素子１０００と同じである。【０２８５】
導体板１１０１〜１１０５は、導体板２１〜２５と同じ材料からなり、導体板２１〜２５と同じ厚みを有する。そして、導体板１１０１〜１１０５は、それぞれ、誘電体層１，２間、誘電体層３，４間、誘電体層５，６間、誘電体層７，８間、および誘電体層９，１０間に配置される。その結果、導体板１１〜１４，１１０１〜１１０５は、幅方向ＤＲ１に交互に配置される。【０２８６】
陰極電極１１１０は、長さ方向ＤＲ２において陽極電極３０側に配置され、電気素子１１００の底面１１００Ａ、側面１１００Ｂ，１１００Ｃおよび上面１１００Ｄに帯状に形成される。また、陰極電極１１２０は、長さ方向ＤＲ２において陽極電極４０側に配置され、電気素子１１００の底面１１００Ａ、側面１１００Ｂ，１１００Ｃおよび上面１１００Ｄに帯状に形成される。【０２８７】
図５５は、図５４に示す誘電体層１および導体板１１０１の寸法を説明するための図である。図５５を参照して、導体板１１０１は、略平板形状からなり、長さＬ４および幅Ｗ２を有する。そして、導体板１１０１は、引出部１１１１〜１１１４を含む。【０２８８】
引出部１１１１，１１１２は、幅方向ＤＲ１において導体板１１０１の一方端側に導体板１０１の引出部１０１１，１０１２（図５２参照）と同じように配置される。引出部１１１３，１１１４は、幅方向ＤＲ１において導体板１１０１の他方端側にそれぞれ引出部１１１１，１１１２に対向して配置される。そして、引出部１１１１〜１１１４の各々は、長さＬ２および幅Ｗ３を有する、その結果、引出部１１１１と引出部１１１２との間隔および引出部１１１３と引出部１１１４との間隔は、Ｌ１５に設定される。【０２８９】
なお、導体板１１０２〜１１０５の各々も、図５５に示す導体板１１０１と同じ形状からなり、導体板１１０１と同じ寸法を有する。【０２９０】
図５６は、図５４に示す隣接する２つの導体板１１，１１０１の平面図である。図５６を参照して、導体板１１，１１０１が上述した形状および寸法を有する結果、導体板１１の引出部１１１と導体板１１０１の引出部１１１１との距離および導体板１１の引出部１１２と導体板１１０１の引出部１１１２との距離は、距離Ｌ１１に設定される。そして、電気素子１１００においても、全長に対するクリアランスの割合（＝（２×Ｌ１１）／Ｌ１）は、基準値（＝０．１８）よりも小さい値に設定される。【０２９１】
図５７は、図５４に示す電気素子１１００において１つのコンデンサを構成する導体板１１，１１０１と陽極電極３０，４０および陰極電極１１１０，１１２０との接続状態を示す図である。【０２９２】
図５７を参照して、導体板１１は、上述した態様で陽極電極３０，４０と接続される。導体板１１０１は、垂直方向ＤＲ３における導体板１１０１の一方端側で引出部１１１１，１１１２によってそれぞれ陰極電極１１１０，１１２０に接続されるとともに、垂直方向ＤＲ３における導体板１１０１の他方端側で引出部１１１３，１１１４によってそれぞれ陰極電極１１１０，１１２０に接続される。つまり、導体板１１０１は、垂直方向ＤＲ３（＝導体板１１０１の幅方向）の両端で陰極電極１１１０，１１２０に接続される。【０２９３】
その結果、交流電流が導体板１１０１を流れるときのインピーダンスを交流電流が導体板１０１を流れるときのインピーダンスよりも小さくできる。したがって、電気素子１１００のインピーダンスを電気素子１０００のインピーダンスよりも小さくできる。【０２９４】
その他は、電気素子１０００と同じである。【０２９５】
上記においては、実施の形態４による電気素子は、全長に対するクリアランスの割合が基準値（＝０．１８）よりも小さい電気素子であると説明したが、この発明においては、これに限らず、実施の形態４による電気素子は、垂直方向ＤＲ３（＝導体板１１〜１４の幅方向）に突出した引出部１１１，１１２（または引出部１１１〜１１４）を有する導体板１１〜１４（導体板１１Ｂ）と、垂直方向ＤＲ３（＝導体板６１〜６５，８１〜８５，１０１〜１０５，１１０１〜１１０５の幅方向）に突出した引出部６１１（または引出部８１１，８１２；１０１１，１０１２；１１１１〜１１１４）を有する導体板６１〜６５（導体板８１〜８５，１０１〜１０５，１１０１〜１１０５）とを備える電気素子であればよい。【０２９６】
垂直方向ＤＲ３に突出した引出部１１１，１１２（または引出部１１１〜１１４）および引出部６１１（または引出部８１１，８１２；１０１１，１０１２；１１１１〜１１１４）が存在すれば、交流電流が１個のコンデンサにおいて２つの導体板間を流れる距離は、引出部１１１，１１２（または引出部１１１〜１１４）の長さ分だけ従来の電気素子７００よりも短くなるので、インダクタンスＬｄ３が従来の電気素子７００よりも小さくなり、全体のインピーダンスを従来の電気素子７００よりも小さくできるからである。【０２９７】
なお、実施の形態４においては、陽極電極３０，４０に接続される導体板１１〜１４の引出部１１１，１１２および陰極電極６１０；８１０；９１０，９２０；１０１０，１０２０；１１１０，１１２０に接続される導体板６１〜６５，８１〜８５，１０１〜１０５，１１０１〜１１０５の引出部６１１；８１１，８１２；１０１１，１０１２；１１１１〜１１１４の長さは、任意であり、引出部１１１，１１２と引出部６１１；８１１，８１２；１０１１，１０１２；１１１１〜１１１４との距離が上述した距離Ｌ１１に設定されていればよい。【０２９８】
その他は、実施の形態１，２と同じである。【０２９９】
［実施の形態５］
図５８は、実施の形態５による電気素子の構成を示す斜視図である。図５８を参照して、実施の形態５による電気素子１２００は、図１に示す電気素子１００に導体板１２１０を追加したものであり、その他は、電気素子１００と同じである。【０３００】
導体板１２１０は、電気素子１００の上面１００Ｄの全面、電気素子１００の長さ方向ＤＲ２における一方端側の側面１００Ｅの全面および電気素子１００の長さ方向ＤＲ２における他方端側の側面１００Ｆの全面に配置される。その結果、導体板１２１０は、電気素子１００の導体板１１〜１４の両端に接続され、導体板２１〜２５とは電気的に絶縁される。つまり、導体板１２１０は、陽極電極３０，４０間で導体板１１〜１４に並列に接続される。【０３０１】
そして、導体板１２１０は、たとえば、Ｎｉからなり、２ｍｍ〜３ｍｍの範囲の厚みを有する。すなわち、導体板１２１０は、電気素子１００の内部に配置された導体板１１〜１４，２１〜２５の厚みよりも厚い厚みを有する。【０３０２】
したがって、電気素子１２００においては、陽極電極３０を介して導体板１１〜１４に流れ込んだ直流電流は、導体板１１〜１４と導体板１１〜１４に並列に接続された導体板１２１０とを長さ方向ＤＲ２に流れ、陽極電極４０から流れ出る。この場合、導体板１２１０は、導体板１１〜１４よりも厚い厚みを有するため、直流電流は、主に導体板１２１０を流れる。【０３０３】
その結果、電気素子１２００は、電気素子１００よりも多くの直流電流をＣＰＵ１３０に供給できる。また、電気素子１２００は、電気素子１００の表面（上面１００Ｄおよび側面１００Ｅ，１００Ｆ）に配置された導体板１２１０を備えるので、導体板１２１０は、電気素子１００で発熱した熱を放熱する機能を果たし、電気素子１２００の温度上昇を電気素子１００の温度上昇よりも抑制できる。【０３０４】
なお、電気素子１２００は、電気素子１００の上面１００Ｄの全面および電気素子１００の側面１００Ｅ，１００Ｆの垂直方向ＤＲ３の一部に配置された導体板を備えていてもよい。つまり、電気素子１２００は、電気素子１００の側面１００Ｅ，１００Ｆの一部で導体板１１〜１４に接続される導体板を備えていればよい。【０３０５】
また、電気素子１２００は、実施の形態１において説明した作製方法に従って電気素子１００を作製した後、導体板１２１０を電気素子１００の上面１００Ｄおよび側面１００Ｅ，１００Ｆに配置することによって作製される。【０３０６】
その他は、電気素子１００と同じである。【０３０７】
図５９は、実施の形態５による他の電気素子の構成を示す斜視図である。実施の形態５による電気素子は、図５９に示す電気素子１３００であってもよい。図５９を参照して、電気素子１３００は、図５８に示す電気素子１２００の導体板１２１０を導体板１３１０に代えたものであり、その他は、電気素子１２００と同じである。【０３０８】
導体板１３１０は、電気素子１００の上面１００Ｄおよび側面１００Ｅ，１００Ｆの全面に配置されるとともに、電気素子１００の底面１００Ａの一部に配置される。そして、導体板１３１０は、電気素子１００の側面１００Ｅ，１００Ｆで導体板１１〜１４の長さ方向ＤＲ２の両端に接続されるとともに、底面１００Ａで導体板１１〜１４の引出部１１１，１１２および陽極電極３０，４０に接続される。その結果、導体板１３１０は、陽極電極３０，４０間に導体板１１〜１４と並列に接続される。また、導体板１３１０は、導体板１２１０と同じ材料からなり、導体板１２１０と同じ厚みを有する。【０３０９】
導体板１３１０は、陽極電極３０，４０に直接接続されるので、陽極電極３０，４０との間の抵抗が電気素子１２００における陽極電極３０，４０と導体板１２０１との抵抗よりも低くなる。また、導体板１３１０と電気素子１００との接触面積は、導体板１２１０と電気素子１００との接触面積よりも大きい。【０３１０】
したがって、電気素子１３００は、電気素子１２００よりも多くの直流電流をＣＰＵ１３０に供給できるとともに、電気素子１００における温度上昇を電気素子１２００における温度上昇よりも抑制できる。【０３１１】
その他は、電気素子１２００と同じである。【０３１２】
図６０は、実施の形態５によるさらに他の電気素子の構成を示す斜視図である。実施の形態５による電気素子は、図６０に示す電気素子１４００であってもよい。図６０を参照して、電気素子１４００は、図５９に示す電気素子１３００の導体板１３１０を導体板１４１０に代えたものであり、その他は、電気素子１３００と同じである。【０３１３】
導体板１４１０は、電気素子１００の上面１００Ｄおよび側面１００Ｅ，１００Ｆの全面に配置されるとともに、電気素子１００の側面１００Ｂ，１００Ｃおよび底面１００Ａの一部に配置される。そして、導体板１４１０は、電気素子１００の側面１００Ｅ，１００Ｆで導体板１１〜１４の両端に接続されるとともに、電気素子１００の底面１００Ａにおいて導体板１１〜１４の引出部１１１，１１２および陽極電極３０，４０に接続される。その結果、導体板１４１０は、陽極電極３０，４０間に導体板１１〜１４と並列に接続される。また、導体板１４１０と電気素子１００との接触面積は、導体板１４１０が側面１００Ｂ，１００Ｃで電気素子１００と接触する分だけ導体板１３１０と電気素子１００との接触面積よりも大きい。【０３１４】
また、導体板１４１０は、導体板１３１０と同じ材料からなり、導体板１３１０と同じ厚みを有する。【０３１５】
導体板１４１０は、導体板１３１０よりも大きい面積で電気素子１００に接触するので、電気素子１４００における温度上昇は、電気素子１３００における温度上昇よりも抑制される。その結果、電気素子１４００は、電気素子１３００の温度と同じ温度において電気素子１３００よりも大きい直流電流をＣＰＵ１３０に供給できる。【０３１６】
その他は、電気素子１３００と同じである。【０３１７】
図６１は、実施の形態５によるさらに他の電気素子の構成を示す斜視図である。実施の形態５による電気素子は、図６１に示す電気素子１５００であってもよい。図６１を参照して、電気素子１５００は、図６０に示す電気素子１４００の導体板１４１０を導体板１５１０に代えたものであり、その他は、電気素子１４００と同じである。【０３１８】
導体板１５１０は、導体板１４１０において電気素子１００の側面１００Ｂ，１００Ｃとの接触面積を増やしたものであり、その他は、導体板１４１０と同じである。【０３１９】
これによって、導体板１５１０を陽極電極３０側から陽極電極４０側へ流れる直流電流が導体板１４１０よりも増加し、電気素子１５００は、電気素子１４００よりも多くの直流電流をＣＰＵ１３０に供給できる。【０３２０】
また、電気素子１００で発生した熱は、導体板１５１０を介して放熱され、電気素子１５００における温度上昇を電気素子１４００における温度上昇よりも抑制できる。【０３２１】
その他は、電気素子１４００と同じである。【０３２２】
図６２は、実施の形態５によるさらに他の電気素子の構成を示す斜視図である。実施の形態５による電気素子は、図６２に示す電気素子１６００であってもよい。図６２を参照して、電気素子１６００は、図６１に示す電気素子１５００の導体板１５１０を導体板１６１０に代えたものであり、その他は、電気素子１５００と同じである。【０３２３】
導体板１６１０は、陰極電極５０，６０間における電気素子１００との接触部分を導体板１５１０に追加したものであり、その他は、導体板１５１０と同じである。【０３２４】
図６３は、図６２に示すＡ方向から見た電気素子１６００の斜視図である。図６３を参照して、導体板１６１０は、電気素子１００の底面１００Ａにおいて、陰極電極５０，６０を除く領域を覆うように形成される。【０３２５】
これによって、導体板１６１０と電気素子１００との接触面積を導体板１５１０と電気素子１００との接触面積よりも大きくできる。その結果、電気素子１６００における温度上昇を電気素子１５００における温度上昇よりも抑制できる。【０３２６】
その他は、電気素子１５００と同じである。【０３２７】
図６４は、実施の形態５によるさらに他の電気素子の構成を示す斜視図である。実施の形態５による電気素子は、図６４に示す電気素子１７００であってもよい。図６４を参照して、電気素子１７００は、図１に示す電気素子１００に導体板１７１０を追加したものであり、その他は、電気素子１００と同じである。【０３２８】
電気素子１７００においては、導体板１１〜１４の各々は、図１４に示す導体板１１Ｂからなる。また、陽極電極３０，４０は、電気素子１００の底面１００Ａ、側面１００Ｂ，１００Ｃおよび上面１００Ｄに帯状に形成される。【０３２９】
導体板１７１０は、平板形状からなり、電気素子１００の上面１００Ｄに配置される。そして、導体板１７１０は、長さ方向ＤＲ２において、一方端が陽極電極３０に接続され、他方端が陽極電極４０に接続される。また、導体板１７１０は、導体板１２１０と同じ材料からなり、導体板１２１０と同じ厚みを有する。【０３３０】
これによって、電気素子１７００は、陽極電極３０，４０間に並列に接続された導体板１１〜１４，１７１０によって直流電流を陽極電極３０側から陽極電極４０側へ流すことができ、電気素子１００よりも多くの直流電流をＣＰＵ１３０に供給できる。【０３３１】
また、導体板１７１０は、放熱板としても機能するので、電気素子１７００における温度上昇を電気素子１００における温度上昇よりも抑制できる。【０３３２】
そして、電気素子１７００は、実施の形態１において説明した作製方法に従って電気素子１００を作製した後に、導体板１７１０を電気素子１００の上面１００Ｄに配置することによって作製される。【０３３３】
その他は、電気素子１００と同じである。【０３３４】
なお、実施の形態５による電気素子は、電気素子３００，３５０，６００，８００，９００，１０００，１１００に導体板１２１０，１３１０，１４１０，１５１０，１６１０，１７１０のいずれかを追加した電気素子であってもよい。そして、導体板１２１０，１３１０，１４１０，１５１０，１６１０，１７１０のいずれかを電気素子３５０，８００，９００，１１００に追加する場合、導体板１２１０，１３１０，１４１０，１５１０，１６１０，１７１０のいずれかと陰極電極３６０；８１０；９１０，９２０，９３０；１１１０，１１２０との間には、絶縁物が配置される。【０３３５】
上述したように、この発明による電気素子は、陽極電極に接続された導体板と陰極電極に接続された導体板とを幅方向ＤＲ１に積層した構造からなり、陽極電極は、積層される複数の導体板の各々と等しい抵抗で接続されるので、幅方向ＤＲ１に積層される導体板の数を増やしても、２つの陽極電極間に接続された導体板と、２つの陽極電極とを介して直流電流を流すときのインピーダンスは、大きくならない。【０３３６】
つまり、従来の電気素子のように、複数の導体板をプリント基板に垂直な方向に積層する場合、導体板の配置位置がプリント基板から遠ざかるに従って陽極電極から導体板までの抵抗が大きくなるので、直流電流を流すときのインピーダンスは、導体板の積層枚数が増加するに従って大きくなる。【０３３７】
一方、この発明による電気素子においては、複数の導体板は、幅方向に積層され、複数の導体板と陽極電極との距離は、等しいので、導体板の積層枚数を増やしても陽極電極から導体板までの抵抗は、大きくならない。したがって、導体板の積層枚数を増やしても、直流電流を流すときのインピーダンスは、大きくならない。【０３３８】
また、導体板の積層枚数を増やしても、直流電流を流すときのインピーダンスが大きくならない結果、従来の電気素子よりも多くの直流電流を直流電源からＣＰＵへ供給できる。【０３３９】
図６５から図６９は、それぞれ、従来の電気素子７００（図４１および図４２参照）において誘電体層７５１〜７６０および導体板７６１〜７６４，７７１〜７７５の積層数（即ち、電気素子７００の高さ）を変えたときの第１から第５の斜視図である。【０３４０】
図６５から図６９を参照して、電気素子７００Ａ〜７００Ｅは、３．３ｍｍの幅、および４．６ｍｍの長さを有する。そして、電気素子７００Ａ〜７００Ｅにおいては、陽極電極７２０Ａ，７３０Ａ；７２０Ｂ，７３０Ｂ；７２０Ｃ，７３０Ｃ；７２０Ｄ，７３０Ｄ；７２０Ｅ，７３０Ｅと陰極電極７４０Ａ〜７４０Ｅとの間隔は、０．５ｍｍである。その結果、電気素子７００Ａ〜７００Ｅにおいては、全長に対するクリアランスの割合は、（０．５×２）ｍｍ／４．６ｍｍ＝０．２１７となる。【０３４１】
また、電気素子７００Ａ〜７００Ｅは、それぞれ、１．１ｍｍ、１．７ｍｍ、３．３ｍｍ、５．０ｍｍおよび８．０ｍｍの高さを有する。そして、電気素子７００Ａ〜７００Ｅにおいては、高さは、誘電体層７５１〜７６０および導体板７６１〜７６４，７７１〜７７５の積層数を変えることによって変えられた。【０３４２】
したがって、電気素子７００Ａ〜７００Ｅは、幅および長さを一定に保持したまま、高さを変えた電気素子である。【０３４３】
図７０から図７４は、それぞれ、実施の形態２による電気素子３００（図２１参照）において誘電体層１〜１０および導体板１１〜１４，３１〜３５の積層数（即ち、電気素子３００の幅）を変えたときの第１から第５の斜視図である。【０３４４】
図７０から図７４を参照して、電気素子３００Ａ〜３００Ｅは、３．３ｍｍの高さおよび４．６ｍｍの長さを有する。そして、電気素子３００Ａ〜３００Ｅにおいては、陽極電極３０Ａ，４０Ａ；３０Ｂ，４０Ｂ；３０Ｃ，４０Ｃ；３０Ｄ，４０Ｄ；３０Ｅ，４０Ｅと陰極電極９０Ａ〜９０Ｅとの間隔は、０．５ｍｍである。その結果、電気素子３００Ａ〜３００Ｅにおいても、全長に対するクリアランスの割合は、（０．５×２）ｍｍ／４．６ｍｍ＝０．２１７となる。【０３４５】
電気素子３００Ａ〜３００Ｅは、それぞれ、１．１ｍｍ、１．７ｍｍ、３．３ｍｍ、５．０ｍｍおよび８．０ｍｍの幅を有する。そして、電気素子３００Ａ〜３００Ｅにおいては、幅は、誘電体層１〜１０および導体板１１〜１４，３１〜３５の積層数を変えることによって変えられた。【０３４６】
したがって、電気素子３００Ａ〜３００Ｅは、高さおよび長さを一定に保持したまま、幅を変えた電気素子である。【０３４７】
図７５は、図６５〜図６９にそれぞれ示す電気素子７００Ａ〜７００Ｅにおけるインピーダンスと周波数との関係を示す図である。また、図７６は、図７０〜図７４にそれぞれ示す電気素子３００Ａ〜３００Ｅにおけるインピーダンスと周波数との関係を示す図である。【０３４８】
図７５および図７６において、縦軸は、インピーダンスを表し、横軸は、周波数を表す。なお、周波数は、電気素子３００Ａ〜３００Ｅ，７００Ａ〜７００Ｅのインダクタンスがインピーダンスに対して支配的になる１０７〜１０９（Ｈｚ）の領域からなる。【０３４９】
また、図７５において、曲線ｋ６〜ｋ１０は、それぞれ、電気素子７００Ａ〜７００Ｅにおけるインピーダンスと周波数との関係を示し、図７６において、曲線ｋ１１〜ｋ１５は、それぞれ、電気素子３００Ａ〜３００Ｅにおけるインピーダンスと周波数との関係を示す。【０３５０】
従来の電気素子７００においては、インピーダンスは、誘電体層７５１〜７６０および導体板７６１〜７６４，７７１〜７７５の積層数を増やすに従って増加する（曲線ｋ６〜ｋ１０参照）。【０３５１】
一方、実施の形態２による電気素子３００においては、インピーダンスは、誘電体層１〜１０および導体板１１〜１４，３１〜３５の積層数を増やすに従って低下する（曲線ｋ１１〜ｋ１５参照）。【０３５２】
従来の電気素子７００は、誘電体層７５１〜７６０および導体板７６１〜７６４，７７１〜７７５の積層数が増加することによって、プリント基板に実装された場合のプリント基板上の信号線から相対的に上側に配置された導体板までの距離が長くなり、信号線から相対的に上側に配置された導体板までの抵抗が相対的に大きくなる。その結果、従来の電気素子７００のインピーダンスは、誘電体層７５１〜７６０および導体板７６１〜７６４，７７１〜７７５の積層数が増加するに従って高くなる。【０３５３】
一方、実施の形態２による電気素子３００においては、信号線と導体板１１〜１４，３１〜３５との距離が等しいため、誘電体層１〜１０および導体板１１〜１４，３１〜３５の積層数が増加しても、信号線から導体板１１〜１４，３１〜３５までの抵抗は、ほぼ一定である。また、誘電体層１〜１０および導体板１１〜１４，３１〜３５の積層数が増加すると、電気素子３００の容量が低下し、インピーダンスが低下する。したがって、電気素子３００においては、インピーダンスは、誘電体層１〜１０および導体板１１〜１４，３１〜３５の積層数が増加することによって低下する。【０３５４】
図７７は、インピーダンスと外形寸法との関係を示す図である。図７７において、縦軸は、インピーダンスを表し、横軸は、外形寸法を表す。また、曲線ｋ１６は、従来の電気素子７００におけるインピーダンスと外形寸法（電気素子７００の高さ）との関係を示し、曲線ｋ１７は、実施の形態２による電気素子３００のインピーダンスと外形寸法（電気素子３００の幅）との関係を示す。なお、図７７におけるインピーダンスは、１０８Ｈｚの周波数におけるインピーダンスである。【０３５５】
従来の電気素子７００においては、インピーダンスは、電気素子７００の高さ（＝外形寸法）が高くなるに従って増加する（曲線ｋ１６参照）。一方、実施の形態２による電気素子３００においては、インピーダンスは、電気素子３００の幅（＝外形寸法）が広くなるに従って低下する（曲線ｋ１７参照）。【０３５６】
そして、曲線ｋ１６は、約２．５ｍｍの外形寸法で曲線ｋ１７と交差し、外形寸法が２．５ｍｍよりも小さい領域では、電気素子７００のインピーダンスは、電気素子３００のインピーダンスよりも低く、外形寸法が２．５ｍｍ以上である領域では、電気素子３００のインピーダンスは、電気素子７００のインピーダンスよりも低い。【０３５７】
このことは、誘電体層および導体板の積層数が相対的に少なく、電気素子の高さが幅よりも低い場合、インピーダンスは、導体板を水平方向（＝プリント基板に略平行な方向）に配置した電気素子７００Ａ，７００Ｂの方が導体板を垂直方向（＝プリント基板に略垂直な方向）に配置した電気素子３００Ａ，３００Ｂよりも低くなり、誘電体層および導体板の積層数が相対的に多くなり、電気素子の高さが２．５ｍｍ以上である場合、インピーダンスは、導体板を垂直方向（＝プリント基板に略垂直な方向）に配置した電気素子３００Ｃ〜３００Ｅの方が導体板を水平方向（＝プリント基板に略平行な方向）に配置した電気素子７００Ｃ〜７００Ｅよりも低くなることを意味する。【０３５８】
図７８は、図６５〜６９にそれぞれ示す電気素子７００Ａ〜７００Ｅにおいて陽極電極７２０Ａ，７３０Ａ；７２０Ｂ，７３０Ｂ；７２０Ｃ，７３０Ｃ；７２０Ｄ，７３０Ｄ；７２０Ｅ，７３０Ｅと陰極電極７４０Ａ，７４０Ｂ，７４０Ｃ，７４０Ｄ，７４０Ｅとの間隔を０．４ｍｍに設定した場合のインピーダンスと周波数との関係を示す図である。また、図７９は、図７０〜図７４にそれぞれ示す電気素子３００Ａ〜３００Ｅにおいて陽極電極３０Ａ，４０Ａ；３０Ｂ，４０Ｂ；３０Ｃ，４０Ｃ；３０Ｄ，４０Ｄ；３０Ｅ，４０Ｅと陰極電極９０Ａ，９０Ｂ，９０Ｃ，９０Ｄ，９０Ｅとの関係を０．４ｍｍに設定した場合のインピーダンスと周波数との関係を示す図である。【０３５９】
図７８および図７９において、縦軸は、インピーダンスを表し、横軸は、周波数を表す。なお、周波数は、電気素子３００Ａ〜３００Ｅ，７００Ａ〜７００Ｅのインダクタンスがインピーダンスに対して支配的になる１０７〜１０９（Ｈｚ）の領域からなる。【０３６０】
また、図７８において、曲線ｋ１８〜ｋ２２は、それぞれ、電気素子７００Ａ〜７００Ｅにおけるインピーダンスと周波数との関係を示し、図７９において、曲線ｋ２３〜ｋ２７は、それぞれ、電気素子３００Ａ〜３００Ｅにおけるインピーダンスと周波数との関係を示す。【０３６１】
陽極電極と陰極電極との間隔が０．４ｍｍに減少することにより、全長に対するクリアランスとの比は、０．１７４になる。【０３６２】
したがって、全長に対するクリアランスの比が基準値（＝０．１８）よりも小さい０．１７４になっても、従来の電気素子７００のインピーダンスは、誘電体層７５１〜７６０および導体板７６１〜７６４，７７１〜７７５の積層数が増加するに従って高くなり（曲線ｋ１８〜ｋ２２参照）、実施の形態２による電気素子３００のインピーダンスは、誘電体層１〜１０および導体板１１〜１４，３１〜３５の積層数が増加するに従って低下する（曲線ｋ２３〜ｋ２７参照）。【０３６３】
図８０は、インピーダンスと外形寸法との他の関係を示す図である。図８０において、縦軸は、インピーダンスを表し、横軸は、外形寸法を表す。また、曲線ｋ２８は、全長に対するクリアランスとの比が０．１７４である場合の従来の電気素子７００におけるインピーダンスと外形寸法（電気素子７００の高さ）との関係を示し、曲線ｋ２９は、全長に対するクリアランスとの比が０．１７４である場合の実施の形態２による電気素子３００のインピーダンスと外形寸法（電気素子３００の幅）との関係を示す。なお、図８０におけるインピーダンスも、１０８Ｈｚの周波数におけるインピーダンスである。【０３６４】
従来の電気素子７００においては、インピーダンスは、電気素子７００の高さ（＝外形寸法）が高くなるに従って増加する（曲線ｋ２８参照）。一方、実施の形態２による電気素子３００においては、インピーダンスは、電気素子３００の幅（＝外形寸法）が広くなるに従って低下する（曲線ｋ２９参照）。【０３６５】
そして、曲線ｋ２８は、約２．５ｍｍの外形寸法で曲線ｋ２９と交差し、外形寸法が２．５ｍｍよりも小さい領域では、電気素子７００のインピーダンスは、電気素子３００のインピーダンスよりも低く、外形寸法が２．５ｍｍ以上である領域では、電気素子３００のインピーダンスは、電気素子７００のインピーダンスよりも低い。【０３６６】
このことは、全長に対するクリアランスの比が０．１７４と基準値（＝０．１８）よりも小さい場合においても、誘電体層および導体板の積層数が相対的に少なく、電気素子の高さが幅よりも低い場合、インピーダンスは、導体板を水平方向（＝プリント基板に略平行な方向）に配置した電気素子７００Ａ，７００Ｂの方が導体板を垂直方向（＝プリント基板に略垂直な方向）に配置した電気素子３００Ａ，３００Ｂよりも低くなり、誘電体層および導体板の積層数が相対的に多くなり、電気素子の高さが２．５ｍｍ以上である場合、インピーダンスは、導体板を垂直方向（＝プリント基板に略垂直な方向）に配置した電気素子３００Ｃ〜３００Ｅの方が導体板を水平方向（＝プリント基板に略平行な方向）に配置した電気素子７００Ｃ〜７００Ｅよりも低くなることを意味する。【０３６７】
上述したように、全長に対するクリアランスの比と基準値（＝０．１８）との大小関係に拘わらず、誘電体層および導体板の積層数が相対的に多くなり、電気素子の高さが一定値（２．５ｍｍ）以上になると、電気素子のインピーダンスは、誘電体層および導体板をプリント基板に垂直に配置した方が低くなる。【０３６８】
したがって、この発明による電気素子（＝誘電体層および導体板をプリント基板に垂直に配置した電気素子）は、一般的には、誘電体層および導体板をプリント基板に垂直に配置したときのインピーダンス（インダクタンスが支配的な周波数領域におけるインピーダンス）が誘電体層および導体板をプリント基板に水平に配置したときのインピーダンス（インダクタンスが支配的な周波数領域におけるインピーダンス）よりも低くなる断面形状（電気素子の長さ方向に垂直な断面の形状）を有していればよい。【０３６９】
従来の電気素子７００は、導体板７６１〜７６４，７７１〜７７５がプリント基板に略平行になるようにプリント基板に実装されるが、導体板７６１〜７６４，７７１〜７７５をプリント基板に略垂直に配置した方がインピーダンスが低下する程度に導体板７６１〜７６４，７７１〜７７５の積層数が多くなった従来の電気素子７００を９０度回転してプリント基板に実装された電気素子７００は、この発明による電気素子に含まれる。【０３７０】
なお、上述した実施の形態１〜実施の形態５においては、２個の陰極電極５０，６０または１個の陰極電極９０を備える電気素子について説明したが、この発明においては、これに限らず、陰極電極は、１個以上であればよい。したがって、この発明による電気素子は、２個の陽極電極と、ｊ（ｊは正の整数）個の陰極電極とを備えるものであればよい。【０３７１】
この発明においては、導体板１１〜１４，５６１〜５６４は、「ｎ個の第１の導体板」を構成し、導体板２１〜２５，３１〜３５，４１〜４５，６１〜６５，８１〜８５，１０１〜１０５，５７１〜５７５，１１０１〜１１０５は、「ｍ個の第２の導体板」を構成する。【０３７２】
また、陽極電極３０および陽極電極５２０は、「第１の電極」を構成し、陽極電極４０および陽極電極５３０は、「第２の電極」を構成し、陰極電極５０，６０、陰極電極９０、陰極電極３６０、陰極電極５４０，５５０、陰極電極６１０、陰極電極８１０、陰極電極９１０，９２０，９３０、陰極電極１０１０，１０２０および陰極電極１１１０，１１２０は、「ｊ個の第３の電極」を構成する。【０３７３】
さらに、陰極電極５０、陰極電極５４０、陰極電極１０１０および陰極電極１１１０は、「第１の陰極電極」を構成し、陰極電極６０、陰極電極５５０、陰極電極１０２０および陰極電極１１２０は、「第２の陰極電極」を構成する。【０３７４】
さらに、引出部１１１は、「第１の引出部」を構成し、引出部１１２は、「第２の引出部」を構成する。【０３７５】
さらに、引出部１１１は、「第１の接続部分」を構成し、引出部１１２は、「第２の接続部分」を構成する。【０３７６】
さらに、引出部２１１は、「第３の引出部」を構成し、引出部２１２は、「第４の引出部」を構成する。【０３７７】
さらに、引出部２１１は、「第１の部分」を構成し、引出部２１２は、「第２の部分」を構成する。【０３７８】
さらに、電気素子７００は、「基準電気素子」を構成する。【０３７９】
さらに、導体板１２１０，１３１０，１４１０，１５１０，１６１０，１７１０は、「第３の導体板」を構成する。【０３８０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０３８１】
この発明は、素子全体で流せる直流電流を容易に決定可能な電気素子に適用される。
【図１】
2008044376.tif 000010
【図２】
2008044376.tif 000011
【図３】
2008044376.tif 000012
【図４】
2008044376.tif 000013
【図５】
2008044376.tif 000014
【図６】
2008044376.tif 000015
【図７】
2008044376.tif 000016
【図８】
2008044376.tif 000017
【図９】
2008044376.tif 000018
【図１０】
2008044376.tif 000019
【図１１】
2008044376.tif 000020
【図１２】
2008044376.tif 000021
【図１３】
2008044376.tif 000022
【図１４】
2008044376.tif 000023
【図１５】
2008044376.tif 000024
【図１６】
2008044376.tif 000025
【図１７】
2008044376.tif 000026
【図１８】
2008044376.tif 000027
【図１９】
2008044376.tif 000028
【図２０】
2008044376.tif 000029
【図２１】
2008044376.tif 000030
【図２２】
2008044376.tif 000031
【図２３】
2008044376.tif 000032
【図２４】
2008044376.tif 000033
【図２５】
2008044376.tif 000034
【図２６】
2008044376.tif 000035
【図２７】
2008044376.tif 000036
【図２８】
2008044376.tif 000037
【図２９】
2008044376.tif 000038
【図３０】
2008044376.tif 000039
【図３１】
2008044376.tif 000040
【図３２】
2008044376.tif 000041
【図３３】
2008044376.tif 000042
【図３４】
2008044376.tif 000043
【図３５】
2008044376.tif 000044
【図３６】
2008044376.tif 000045
【図３７】
2008044376.tif 000046
【図３８】
2008044376.tif 000047
【図３９】
2008044376.tif 000048
【図４０】
2008044376.tif 000049
【図４１】
2008044376.tif 000050
【図４２】
2008044376.tif 000051
【図４３】
2008044376.tif 000052
【図４４】
2008044376.tif 000053
【図４５】
2008044376.tif 000054
【図４６】
2008044376.tif 000055
【図４７】
2008044376.tif 000056
【図４８】
2008044376.tif 000057
【図４９】
2008044376.tif 000058
【図５０】
2008044376.tif 000059
【図５１】
2008044376.tif 000060
【図５２】
2008044376.tif 000061
【図５３】
2008044376.tif 000062
【図５４】
2008044376.tif 000063
【図５５】
2008044376.tif 000064
【図５６】
2008044376.tif 000065
【図５７】
2008044376.tif 000066
【図５８】
2008044376.tif 000067
【図５９】
2008044376.tif 000068
【図６０】
2008044376.tif 000069
【図６１】
2008044376.tif 000070
【図６２】
2008044376.tif 000071
【図６３】
2008044376.tif 000072
【図６４】
2008044376.tif 000073
【図６５】
2008044376.tif 000074
【図６６】
2008044376.tif 000075
【図６７】
2008044376.tif 000076
【図６８】
2008044376.tif 000077
【図６９】
2008044376.tif 000078
【図７０】
2008044376.tif 000079
【図７１】
2008044376.tif 000080
【図７２】
2008044376.tif 000081
【図７３】
2008044376.tif 000082
【図７４】
2008044376.tif 000083
【図７５】
2008044376.tif 000084
【図７６】
2008044376.tif 000085
【図７７】
2008044376.tif 000086
【図７８】
2008044376.tif 000087
【図７９】
2008044376.tif 000088
【図８０】
2008044376.tif 000089
【図８１】
2008044376.tif 000090
【図８２】
2008044376.tif 000091
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
ｎ（ｎは正の整数）個の第１の導体板（１１〜１４）と、
前記ｎ個の第１の導体板（１１〜１４）と交互に積層されたｍ（ｍは正の整数）個の第２の導体板（２１〜２５，３１〜３５，４１〜４５，６１〜６５，８１〜８５，１０１〜１０５，１１０１〜１１０５）と、
前記ｎ個の第１の導体板（１１〜１４）の各々の一方端に接続された第１の電極（３０）と、
前記ｎ個の第１の導体板（１１〜１４）の各々の他方端に接続された第２の電極（４０）と、
前記ｍ個の第２の導体板（２１〜２５，３１〜３５，４１〜４５，６１〜６５，８１〜８５，１０１〜１０５，１１０１〜１１０５）に接続されたｊ（ｊは正の整数）個の第３の電極（５０，６０；９０；３６０；６１０；８１０；９１０，９２０，９３０；１０１０，１０２０；１１１０，１１２０）とを備えた電気素子であって、
該電気素子を配置する基板の配置面の法線方向に対して、前記ｎ個の第１の導体板（１１〜１４）および前記ｍ個の第２の導体板（２１〜２５，３１〜３５，４１〜４５，６１〜６５，８１〜８５，１０１〜１０５，１１０１〜１１０５）は、垂直に積層されている、電気素子。
【請求項２】
前記ｎ個の第１の導体板（１１〜１４）の各々は、
前記第１の導体板（１１〜１４）の一方端側に配置された第１の引出部（１１１）と、
前記第１の導体板（１１〜１４）の他方端側に配置された第２の引出部（１１２）とを含み、
前記第１の電極（３０）は、ｎ個の第１の引出部（１１１）に接続され、
前記第２の電極（４０）は、ｎ個の第２の引出部（１１２）に接続されている、請求項１に記載の電気素子。
【請求項３】
前記ｊ個の第３の電極（５０，６０；１０１０，１０２０；１１１０，１１２０）は、
前記ｍ個の第２の導体板（２１〜２５，３１〜３５，４１〜４５，６１〜６５，８１〜８５，１０１〜１０５，１１０１〜１１０５）の各々の第１の部分に接続された第１の陰極電極（５０，１０１０，１１１０）と、
前記ｍ個の第２の導体板（２１〜２５，３１〜３５，４１〜４５，６１〜６５，８１〜８５，１０１〜１０５，１１０１〜１１０５）の各々の第２の部分に接続された第２の陰極電極（６０，１０２０，１１２０）とからなる、請求項２に記載の電気素子。
【請求項４】
前記第１の導体板（１１〜１４）は、略長方形の平面形状を有し、
前記第１および第２の引出部（１１１，１１２）は、前記長方形の同じ長辺側に配置されている、請求項２に記載の電気素子。
【請求項５】
前記ｎ個の第１の導体板（１１〜１４）の各々は、
当該電気素子の長さ方向において前記第１の導体板（１１〜１４）の一方端側に配置された第１の引出部（１１１）と、
当該電気素子の長さ方向において前記第１の導体板（１１〜１４）の他方端側に配置された第２の引出部（１１２）とを含み、
前記ｍ個の第２の導体板（２１〜２５，３１〜３５，４１〜４５，６１〜６５，８１〜８５，１０１〜１０５，１１０１〜１１０５）の各々は、当該電気素子の長さ方向において前記第１の引出部（１１１）と前記第２の引出部（１１２）との間に配置された第３の引出部（２１１，２１２；３１１；４１１，４１２；６１１；８１１，８１２；１０１１，１０１２；１１１１〜１１１４）を含み、
当該電気素子の長さ方向における前記第１の引出部（１１１）と前記第３の引出部（２１１，２１２；３１１；４１１，４１２；６１１；８１１，８１２；１０１１，１０１２；１１１１〜１１１４）との距離を第１の距離とし、当該電気素子の長さ方向における前記第２の引出部（１１２）と前記第３の引出部（２１１，２１２；３１１；４１１，４１２；６１１；８１１，８１２；１０１１，１０１２；１１１１〜１１１４）との距離を第２の距離とした場合、前記第１および第２の距離の和を当該電気素子の全長で除算した距離／長さ比は、基準値よりも小さい比に設定されており、
前記基準値は、２つの陽極電極（７２０，７３０）に接続された陽極導体板（７６１〜７６４）と陰極電極（７４０）に接続された陰極導体板（７７１〜７７５）とが基板の法線方向に積層された基準電気素子（７００）において、前記陽極導体板（７６１〜７６４）の長さから前記陰極電極（７４０）の長さを減算した減算結果を前記基準電気素子（７００）の長さで除算した値であり、
前記第１の電極（３０）は、前記ｎ個の第１の引出部（１１１）に接続され、
前記第２の電極（４０）は、前記ｎ個の第２の引出部（１１２）に接続され、
前記ｊ個の第３の電極（５０，６０；９０；３６０；６１０；８１０；９１０，９２０，９３０；１０１０，１０２０；１１１０，１１２０）は、前記ｍ個の第３の引出部（２１１，２１２；３１１；４１１，４１２；６１１；８１１，８１２；１０１１，１０１２；１１１１〜１１１４）に接続されている、請求項１に記載の電気素子。
【請求項６】
前記ｎ個の第１の導体板（１１〜１４）の各々は、
当該電気素子の長さ方向において前記第１の導体板（１１〜１４）の一方端側に配置され、かつ、基板（２００，４００）の法線方向に突出した第１の引出部（１１１，１１３）と、
当該電気素子の長さ方向において前記第１の導体板（１１〜１４）の他方端側に配置され、かつ、基板（２００，４００）の法線方向に突出した第２の引出部（１１２，１１４）とを含み、
前記ｍ個の第２の導体板（２１〜２５，３１〜３５，４１〜４５，６１〜６５，８１〜８５，１０１〜１０５，１１０１〜１１０５）の各々は、当該電気素子の長さ方向において前記第１の引出部（１１１，１１３）と前記第２の引出部（１１２，１１４）との間に配置され、かつ、基板（２００，４００）の法線方向に突出した第３の引出部（２１１，２１２；３１１；４１１，４１２；６１１；８１１，８１２；１０１１，１０１２；１１１１〜１１１４）を含み、
前記第１の引出部（１１１，１１３）、前記第２の引出部（１１２，１１４）および前記第３の引出部（２１１，２１２；３１１；４１１，４１２；６１１；８１１，８１２；１０１１，１０１２；１１１１〜１１１４）は、基板（２００，４００）の法線方向において前記第１および第２の導体板（１１〜１４；２１〜２５，３１〜３５，４１〜４５，６１〜６５，８１〜８５，１０１〜１０５，１１０１〜１１０５）に対して同じ側に配置され、
前記第１の電極（３０）は、前記ｎ個の第１の引出部（１１１，１１３）に接続され、
前記第２の電極（４０）は、前記ｎ個の第２の引出部（１１２，１１４）に接続され、
前記ｊ個の第３の電極（５０，６０；９０；３６０；６１０；８１０；９１０，９２０，９３０；１０１０，１０２０；１１１０，１１２０）は、前記ｍ個の第３の引出部（２１１，２１２；３１１；４１１，４１２；６１１；８１１，８１２；１０１１，１０１２；１１１１〜１１１４）に接続されている、請求項１に記載の電気素子。
【請求項７】
前記ｎ個の第１の導体板（１１〜１４）と電気的に並列に前記第１および第２の電極（３０，４０；５２０，５３０）に接続された第３の導体板（１２１０，１３１０，１４１０，１５１０，１６１０，１７１０）をさらに備える、請求項１に記載の電気素子。
【請求項８】
ｎ（ｎは正の整数）個の第１の導体板（１１〜１４）と、
前記ｎ個の第１の導体板（１１〜１４）と交互に積層されたｍ（ｍは正の整数）個の第２の導体板（２１〜２５，３１〜３５，４１〜４５，６１〜６５，８１〜８５，１０１〜１０５，１１０１〜１１０５）と、
前記ｎ個の第１の導体板（１１〜１４）の各々の一方端に接続された第１の電極（３０）と、
前記ｎ個の第１の導体板（１１〜１４）の各々の他方端に接続された第２の電極（４０）と、
前記ｍ個の第２の導体板（２１〜２５，３１〜３５，４１〜４５，６１〜６５，８１〜８５，１０１〜１０５，１１０１〜１１０５）に接続されたｊ（ｊは正の整数）個の第３の電極（５０，６０；９０；３６０；６１０；８１０；９１０，９２０，９３０；１０１０，１０２０；１１１０，１１２０）とを備え、
前記ｎ個の第１の導体板（１１〜１４）の各々は、
前記第１の導体板（１１〜１４）の一方端側に配置された第１の引出部（１１１）と、
前記第１の導体板（１１〜１４）の他方端側に配置された第２の引出部（１１２）とを含み、
前記ｍ個の第２の導体板（２１〜２５，３１〜３５，４１〜４５，６１〜６５，８１〜８５，１０１〜１０５，１１０１〜１１０５）の各々は、前記第２の導体板（２１〜２５，３１〜３５，４１〜４５，６１〜６５，８１〜８５，１０１〜１０５，１１０１〜１１０５）の幅方向における一方端側に配置されたｊ個の第３の引出部（２１１，２１２；３１１；４１１；６１１；８１１；１０１１，１０１２；１１１１，１１１２）を含み、
前記第１の引出部（１１１）、前記第２の引出部（１１２）および前記第３の引出部（２１１，２１２；３１１；４１１；６１１；８１１；１０１１，１０１２；１１１１，１１１２）は、前記第１の導体板（１１〜１４）および前記第２の導体板（２１〜２５，３１〜３５，４１〜４５，６１〜６５，８１〜８５，１０１〜１０５，１１０１〜１１０５）の面内方向において同じ方向に突出しており、
前記第１の電極（３０）は、ｎ個の第１の引出部（１１１）に接続されており、
前記第２の電極（４０）は、ｎ個の第２の引出部（１１２）に接続されており、
前記ｊ個の第３の電極（５０，６０；９０；３６０；６１０；８１０；９１０，９２０，９３０；１０１０，１０２０；１１１０，１１２０）は、前記ｊ個の第３の引出部（２１１，２１２；３１１；４１１；６１１；８１１；１０１１，１０１２；１１１１，１１１２）に接続されている、電気素子。
【請求項９】
当該電気素子の長さ方向における前記第１の引出部（１１１）と前記第３の引出部（２１１，２１２；３１１；４１１；６１１；８１１；１０１１，１０１２；１１１１，１１１２）との距離を第１の距離とし、当該電気素子の長さ方向における前記第２の引出部（１１２）と前記第３の引出部（２１１，２１２；３１１；４１１；６１１；８１１；１０１１，１０１２；１１１１，１１１２）との距離を第２の距離とした場合、前記第１および第２の距離の和を当該電気素子の全長で除算した距離／長さ比は、基準値よりも小さい比に設定されており、
前記基準値は、２つの陽極電極（７２０，７３０）に接続された陽極導体板（７６１〜７６４）と陰極電極（７４０）に接続された陰極導体板（７７１〜７７５）とが基板の法線方向に積層された基準電気素子（７００）において、前記陽極導体板（７６１〜７６４）の長さから前記陰極電極（７４０）の長さを減算した減算結果を前記基準電気素子（７００）の長さで除算した値である、請求項８に記載の電気素子。
【請求項１０】
前記ｊ個の第３の引出部（２１１，２１２；１０１１，１０１２；１１１１，１１１２）は、
第４の引出部（２１１，１０１１，１１１１）と、
第５の引出部（２１２，１０１２，１１１２）とを含み、
前記ｊ個の第３の電極（５０，６０；１０１０，１０２０；１１１０，１１２０）は、
前記第４の引出部（２１１，１０１１，１１１１）に接続された第１の陰極電極（５０，１０１０，１１１０）と、
前記第５の引出部（２１２，１０１２，１１１２）に接続された第２の陰極電極（６０，１０２０，１１２０）とを含む、請求項８に記載の電気素子。
【請求項１１】
前記ｎ個の第１の導体板（１１〜１４）の各々は、前記第１の導体板（１１〜１４）の面内方向において前記第１および第２の引出部（１１１，１１２）と反対方向に突出した第４の引出部（１１３，１１４）をさらに含み、
前記ｍ個の第２の導体板（２１〜２５，３１〜３５，４１〜４５，６１〜６５，８１〜８５，１０１〜１０５，１１０１〜１１０５）の各々は、前記第２の導体板（２１〜２５，３１〜３５，４１〜４５，６１〜６５，８１〜８５，１０１〜１０５，１１０１〜１１０５）の面内方向において前記第３の引出部（２１１，２１２；３１１；４１１；６１１；８１１；１０１１，１０１２；１１１１，１１１２）と反対方向に突出した第５の引出部（４１２，８１２，１１１３，１１１４）をさらに含む、請求項８に記載の電気素子。
【請求項１２】
前記ｎ個の第１の導体板（１１〜１４）と電気的に並列に前記第１および第２の電極（３０，４０；５２０，５３０）に接続された第３の導体板（１２１０，１３１０，１４１０，１５１０，１６１０，１７１０）をさらに備える、請求項８に記載の電気素子。
【国際調査報告】
2008044376.tif 000092
2008044376.tif 000093
2008044376.tif 000094